(57)【特許請求の範囲】
【請求項１】
ワイヤレスワイドエリアネットワークによって促進される、発信ユーザ機器（ＵＥ）によって動作可能なピアツーピア（Ｐ２Ｐ）ネットワーキングのための方法において、
エアインターフェースチャネルを通して担当ノードを介して、Ｐ２Ｐサービス発見およびグループフォーメーション支援のための要求を発見サーバに送信することと、
Ｐ２Ｐ通信セッションに参加するための、スコープされている情報を、前記発見サーバから受信することと、
前記担当ノードからサービスを受信する少なくとも１つの終端ＵＥとの通信を確立するために、前記担当ノードと同じ位置に配置されているパケット配信ネットワークゲートウェイを選択することと、
前記受信したスコープされている情報に少なくとも一部基づいて、前記Ｐ２Ｐ通信セッションを前記少なくとも１つの終端ＵＥと確立することと、
を含む方法。
【請求項２】
前記Ｐ２Ｐサービス発見およびグループフォーメーション支援のための要求を送信することは、前記発信ＵＥに近接すると決定された、複数のＵＥのうちのサブセットを選択することによって発見をスコープする前記発見サーバと通信することをさらに含む、請求項１記載の方法。
【請求項３】
前記スコープされている情報を受信することは、位置と、ネットワークトポロジーと、ユーザの役割と、コンテキスト情報とのうちの選択された少なくとも１つに基づきスコープされているＵＥの選択に向けられている情報を受信することをさらに含む、請求項２記載の方法。
【請求項４】
前記Ｐ２Ｐ通信セッションを確立することは、前記発見サーバから、グループフォーメーション命令を受信することをさらに含む、請求項１記載の方法。
【請求項５】
前記グループフォーメーション命令を受信することは、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信することをさらに含む、請求項４記載の方法。
【請求項６】
パケットコアを介してベアラシグナリングに戻ることによって、Ｐ２Ｐ通信セッションの継続性を維持することをさらに含む、請求項１記載の方法。
【請求項７】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項１記載の方法。
【請求項８】
ワイヤレスワイドエリアネットワークによって促進される、発信ユーザ機器（ＵＥ）によって動作可能なピアツーピア（Ｐ２Ｐ）ネットワーキングのための方法において、
エアインターフェースチャネルを通して担当ノードを介して、Ｐ２Ｐサービス発見およびグループフォーメーション支援のための要求を発見サーバに送信することと、
Ｐ２Ｐ通信セッションに参加するための、スコープされている情報を、前記発見サーバから受信することと、
別の担当ノードからサービスを受信する少なくとも１つの終端ＵＥとの通信を確立するために、前記担当ノードから離れているパケットコアに位置付けられているパケット配信ネットワークゲートウェイを選択することと、
前記受信したスコープされている情報に少なくとも一部基づいて、前記Ｐ２Ｐ通信セッションを前記少なくとも１つの終端ＵＥと確立することと、
を含む方法。
【請求項９】
前記Ｐ２Ｐサービス発見およびグループフォーメーション支援のための要求を送信することは、前記発信ＵＥに近接すると決定された、複数のＵＥのうちのサブセットを選択することによって発見をスコープする前記発見サーバと通信することをさらに含む、請求項８記載の方法。
【請求項１０】
前記スコープされている情報を受信することは、位置と、ネットワークトポロジーと、ユーザの役割と、コンテキスト情報とのうちの選択された少なくとも１つに基づきスコープされているＵＥの選択に向けられている情報を受信することをさらに含む、請求項９記載の方法。
【請求項１１】
前記少なくとも１つの終端ＵＥとの通信を確立するために、インターネットと前記パケットコアとを介して通信するホームエージェントを選択することをさらに含む、請求項８記載の方法。
【請求項１２】
前記Ｐ２Ｐ通信セッションを確立することは、前記発見サーバから、グループフォーメーション命令を受信することをさらに含む、請求項８記載の方法。
【請求項１３】
前記グループフォーメーション命令を受信することは、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信することをさらに含む、請求項１２記載の方法。
【請求項１４】
前記パケットコアを介してベアラシグナリングに戻ることによって、Ｐ２Ｐ通信セッションの継続性を維持することをさらに含む、請求項８記載の方法。
【請求項１５】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項８記載の方法。
【請求項１６】
ピアツーピア（Ｐ２Ｐ）ネットワーキングのための装置において、
エアインターフェースチャネルを通して担当ノードを介して、Ｐ２Ｐサービス発見およびグループフォーメーション支援のための要求を発見サーバに送信し、Ｐ２Ｐ通信セッションに参加するための、スコープされている情報を、前記発見サーバから受信し、前記担当ノードからサービスを受信する少なくとも１つの終端ユーザ機器（ＵＥ）との通信を確立するために、前記担当ノードと同じ位置に配置されているパケット配信ネットワークゲートウェイを選択し、前記受信したスコープされている情報に少なくとも一部基づいて、前記Ｐ２Ｐ通信セッションを前記少なくとも１つの終端ＵＥと確立するように構成されている少なくとも１つのプロセッサと、
前記少なくとも１つのプロセッサに結合されており、データを記憶するためのメモリと、
を具備する装置。
【請求項１７】
前記少なくとも１つのプロセッサは、発信ＵＥに近接すると決定された、複数のＵＥのうちのサブセットを選択することによって発見をスコープする前記発見サーバと通信することによって、前記Ｐ２Ｐサービス発見およびグループフォーメーション支援のための要求を送信する、請求項１６記載の装置。
【請求項１８】
前記少なくとも１つのプロセッサは、位置と、ネットワークトポロジーと、ユーザの役割と、コンテキスト情報とのうちの選択された少なくとも１つに基づきスコープされているＵＥの選択に向けられている情報を受信することによって、前記スコープされている情報を受信する、請求項１７記載の装置。
【請求項１９】
前記少なくとも１つのプロセッサは、前記発見サーバから、グループフォーメーション命令を受信することによって、前記Ｐ２Ｐ通信セッションを確立する、請求項１６記載の装置。
【請求項２０】
前記少なくとも１つのプロセッサは、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信することによって、前記グループフォーメーション命令を受信する、請求項１９記載の装置。
【請求項２１】
前記少なくとも１つのプロセッサは、パケットコアを介してベアラシグナリングに戻ることによって、Ｐ２Ｐ通信セッションの継続性を維持するようにさらに構成されている、請求項１６記載の装置。
【請求項２２】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項１６記載の装置。
【請求項２３】
前記装置は、発信ＵＥを含む、請求項１６記載の装置。
【請求項２４】
ピアツーピア（Ｐ２Ｐ）ネットワーキングのための装置において、
エアインターフェースチャネルを通して担当ノードを介して、Ｐ２Ｐサービス発見およびグループフォーメーション支援のための要求を発見サーバに送信し、Ｐ２Ｐ通信セッションに参加するための、スコープされている情報を、前記発見サーバから受信し、別の担当ノードからサービスを受信する少なくとも１つの終端ユーザ機器（ＵＥ）との通信を確立するために、前記担当ノードから離れているパケットコアに位置付けられているパケット配信ネットワークゲートウェイを選択し、前記受信したスコープされている情報に少なくとも一部基づいて、前記Ｐ２Ｐ通信セッションを前記少なくとも１つの終端ＵＥと確立するように構成されている少なくとも１つのプロセッサと、
前記少なくとも１つのプロセッサに結合されており、データを記憶するためのメモリと、
を具備する装置。
【請求項２５】
前記少なくとも１つのプロセッサは、発信ＵＥに近接すると決定された、複数のＵＥのうちのサブセットを選択することによって発見をスコープする前記発見サーバと通信することによって、前記Ｐ２Ｐサービス発見およびグループフォーメーション支援のための要求を送信する、請求項２４記載の装置。
【請求項２６】
前記少なくとも１つのプロセッサは、位置と、ネットワークトポロジーと、ユーザの役割と、コンテキスト情報とのうちの選択された少なくとも１つに基づきスコープされているＵＥの選択に向けられている情報を受信することによって、前記スコープされている情報を受信する、請求項２５記載の装置。
【請求項２７】
前記少なくとも１つのプロセッサは、前記少なくとも１つの終端ＵＥとの通信を確立するために、インターネットと前記パケットコアとを介して通信するホームエージェントを選択するようにさらに構成されている、請求項２４記載の装置。
【請求項２８】
前記少なくとも１つのプロセッサは、前記発見サーバから、グループフォーメーション命令を受信することによって、前記Ｐ２Ｐ通信セッションを確立する、請求項２４記載の装置。
【請求項２９】
前記少なくとも１つのプロセッサは、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信することによって、前記グループフォーメーション命令を受信する、請求項２８記載の装置。
【請求項３０】
前記少なくとも１つのプロセッサは、前記パケットコアを介してベアラシグナリングに戻ることによって、Ｐ２Ｐ通信セッションの継続性を維持するようにさらに構成されている、請求項２４記載の装置。
【請求項３１】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項２４記載の装置。
【請求項３２】
前記装置は、発信ＵＥを含む、請求項２４記載の装置。
【請求項３３】
ピアツーピア（Ｐ２Ｐ）ネットワーキングのための装置において、
エアインターフェースチャネルを通して担当ノードを介して、Ｐ２Ｐサービス発見およびグループフォーメーション支援のための要求を発見サーバに送信する手段と、
Ｐ２Ｐ通信セッションに参加するための、スコープされている情報を、前記発見サーバから受信する手段と、
前記担当ノードからサービスを受信する少なくとも１つの終端ユーザ機器（ＵＥ）との通信を確立するために、前記担当ノードと同じ位置に配置されているパケット配信ネットワークゲートウェイを選択する手段と、
前記受信したスコープされている情報に少なくとも一部基づいて、前記Ｐ２Ｐ通信セッションを前記少なくとも１つの終端ＵＥと確立する手段と、
を具備する装置。
【請求項３４】
発信ＵＥに近接すると決定された、複数のＵＥのうちのサブセットを選択することによって発見をスコープする前記発見サーバと通信する手段をさらに具備する、請求項３３記載の装置。
【請求項３５】
位置と、ネットワークトポロジーと、ユーザの役割と、コンテキスト情報とのうちの選択された少なくとも１つに基づきスコープされているＵＥの選択に向けられている情報を受信する手段をさらに具備する、請求項３４記載の装置。
【請求項３６】
前記発見サーバから、グループフォーメーション命令を受信する手段をさらに具備する、請求項３３記載の装置。
【請求項３７】
無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信する手段をさらに具備する、請求項３６記載の装置。
【請求項３８】
パケットコアを介してベアラシグナリングに戻ることによって、Ｐ２Ｐ通信セッションの継続性を維持する手段をさらに具備する、請求項３３記載の装置。
【請求項３９】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項３３記載の装置。
【請求項４０】
ピアツーピア（Ｐ２Ｐ）ネットワーキングのための装置において、
エアインターフェースチャネルを通して担当ノードを介して、Ｐ２Ｐサービス発見およびグループフォーメーション支援のための要求を発見サーバに送信する手段と、
Ｐ２Ｐ通信セッションに参加するための、スコープされている情報を、前記発見サーバから受信する手段と、
別の担当ノードからサービスを受信する少なくとも１つの終端ユーザ機器（ＵＥ）との通信を確立するために、前記担当ノードから離れているパケットコアに位置付けられているパケット配信ネットワークゲートウェイを選択する手段と、
前記受信したスコープされている情報に少なくとも一部基づいて、前記Ｐ２Ｐ通信セッションを前記少なくとも１つの終端ＵＥと確立する手段と、
を具備する装置。
【請求項４１】
発信ＵＥに近接すると決定された、複数のＵＥのうちのサブセットを選択することによって発見をスコープする前記発見サーバと通信する手段をさらに具備する、請求項４０記載の装置。
【請求項４２】
位置と、ネットワークトポロジーと、ユーザの役割と、コンテキスト情報とのうちの選択された少なくとも１つに基づきスコープされているＵＥの選択に向けられている情報を受信する手段をさらに具備する、請求項４１記載の装置。
【請求項４３】
前記少なくとも１つの終端ＵＥとの通信を確立するために、インターネットと前記パケットコアとを介して通信するホームエージェントを選択する手段をさらに具備する、請求項４０記載の装置。
【請求項４４】
前記発見サーバから、グループフォーメーション命令を受信する手段をさらに具備する、請求項４０記載の装置。
【請求項４５】
無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信する手段をさらに具備する、請求項４４記載の装置。
【請求項４６】
前記パケットコアを介してベアラシグナリングに戻ることによって、Ｐ２Ｐ通信セッションの継続性を維持する手段をさらに具備する、請求項４０記載の装置。
【請求項４７】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項４０記載の装置。
【請求項４８】
エアインターフェースチャネルを通して担当ノードを介して、ピアツーピア（Ｐ２Ｐ）サービス発見およびグループフォーメーション支援のための要求を発見サーバに対してコンピュータに送信させるためのコードと、
Ｐ２Ｐ通信セッションに参加するための、スコープされている情報を、前記発見サーバから前記コンピュータに受信させるためのコードと、
前記担当ノードからサービスを受信する少なくとも１つの終端ユーザ機器（ＵＥ）との通信を確立するために、前記担当ノードと同じ位置に配置されているパケット配信ネットワークゲートウェイを前記コンピュータに選択させるためのコードと、
前記受信したスコープされている情報に少なくとも一部基づいて、前記Ｐ２Ｐ通信セッションを前記少なくとも１つの終端ＵＥと前記コンピュータに確立させるためのコードと、
を含むコンピュータ読み取り可能記憶媒体。
【請求項４９】
発信ＵＥに近接すると決定された、複数のＵＥのうちのサブセットを選択することによって発見をスコープする前記発見サーバと前記コンピュータに通信させるためのコードをさらに含む、請求項４８記載のコンピュータ読み取り可能記憶媒体。
【請求項５０】
位置と、ネットワークトポロジーと、ユーザの役割と、コンテキスト情報とのうちの選択された少なくとも１つに基づきスコープされているＵＥの選択に向けられている情報を前記コンピュータに受信させるためのコードをさらに含む、請求項４９記載のコンピュータ読み取り可能記憶媒体。
【請求項５１】
前記発見サーバから、グループフォーメーション命令を前記コンピュータに受信させるためのコードをさらに含む、請求項４８記載のコンピュータ読み取り可能記憶媒体。
【請求項５２】
無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を前記コンピュータに受信させるためのコードをさらに含む、請求項５１記載のコンピュータ読み取り可能記憶媒体。
【請求項５３】
パケットコアを介してベアラシグナリングに戻ることによって、Ｐ２Ｐ通信セッションの継続性を前記コンピュータに維持させるためのコードをさらに含む、請求項４８記載のコンピュータ読み取り可能記憶媒体。
【請求項５４】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項４８記載のコンピュータ読み取り可能記憶媒体。
【請求項５５】
エアインターフェースチャネルを通して担当ノードを介して、ピアツーピア（Ｐ２Ｐ）サービス発見およびグループフォーメーション支援のための要求を発見サーバに対してコンピュータに送信させるためのコードと、
Ｐ２Ｐ通信セッションに参加するための、スコープされている情報を、前記発見サーバから前記コンピュータに受信させるためのコードと、
別の担当ノードからサービスを受信する少なくとも１つの終端ユーザ機器（ＵＥ）との通信を確立するために、前記担当ノードから離れているパケットコアに位置付けられているパケット配信ネットワークゲートウェイを前記コンピュータに選択させるためのコードと、
前記受信したスコープされている情報に少なくとも一部基づいて、前記Ｐ２Ｐ通信セッションを前記少なくとも１つの終端ＵＥと前記コンピュータに確立させるためのコードと、
を含むコンピュータ読み取り可能記憶媒体。
【請求項５６】
発信ＵＥに近接すると決定された、複数のＵＥのうちのサブセットを選択することによって発見をスコープする前記発見サーバと前記コンピュータに通信させるためのコードをさらに含む、請求項５５記載のコンピュータ読み取り可能記憶媒体。
【請求項５７】
位置と、ネットワークトポロジーと、ユーザの役割と、コンテキスト情報とのうちの選択された少なくとも１つに基づきスコープされているＵＥの選択に向けられている情報を前記コンピュータに受信させるためのコードをさらに含む、請求項５６記載のコンピュータ読み取り可能記憶媒体。
【請求項５８】
前記少なくとも１つの終端ＵＥとの通信を確立するために、インターネットと前記パケットコアとを介して通信するホームエージェントを前記コンピュータに選択させるためのコードをさらに含む、請求項５５記載のコンピュータ読み取り可能記憶媒体。
【請求項５９】
前記発見サーバから、グループフォーメーション命令を前記コンピュータに受信させるためのコードをさらに含む、請求項５５記載のコンピュータ読み取り可能記憶媒体。
【請求項６０】
無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を前記コンピュータに受信させるためのコードをさらに含む、請求項５９記載のコンピュータ読み取り可能記憶媒体。
【請求項６１】
前記パケットコアを介してベアラシグナリングに戻ることによって、Ｐ２Ｐ通信セッションの継続性を前記コンピュータに維持させるためのコードをさらに含む、請求項５５記載のコンピュータ読み取り可能記憶媒体。
【請求項６２】
前記担当ノードに送信すること、および、前記担当ノードから受信することは、進化したユニバーサル移動体電気通信システム地上無線アクセス（Ｅ−ＵＴＲＡ）プロトコルにしたがったものである、請求項５５記載のコンピュータ読み取り可能記憶媒体。
【請求項６３】
ワイヤレスワイドエリアネットワークによって促進される、ネットワークエンティティによって動作可能なピアツーピア（Ｐ２Ｐ）ネットワーキングのための方法において、
エアインターフェースチャネルを通して担当ノードを介して、Ｐ２Ｐサービス発見とグループフォーメーション支援のための要求を発信ユーザ機器（ＵＥ）から受信することと、
複数のユーザ機器のうちの、Ｐ２Ｐサービス発見に適切であるスコープされているサブセットを決定することと、
無線周波数（ＲＦ）の近接さの発見に参加するための、前記複数のＵＥのうちの前記スコープされているサブセットの情報を送信することと、
前記発信ＵＥと、前記担当ノードに接続されている少なくとも１つの終端ＵＥとの間のベアラシグナリングを、前記担当ノードと同じ位置に配置されているパケットデータネットワークゲートを介して促進することと、
を含む方法。
【請求項６４】
スコープされているサービス発見の一部としてのそれぞれの情報に応答した、前記複数のＵＥのうちの前記スコープされているサブセット内で、Ｐ２Ｐ通信セッションを確立するために、パケットコアを介するベアラシグナリングを促進することをさらに含む、請求項６３記載の方法。
【請求項６５】
前記スコープされているサブセットを決定することは、位置と、ネットワークトポロジーと、ユーザの役割と、コンテキスト情報とのうちの選択された少なくとも１つに基づいて、Ｐ２Ｐ通信の適切性を決定することをさらに含む、請求項６３記載の方法。
【請求項６６】
前記Ｐ２Ｐ通信セッションを確立および維持するためのグループフォーメーション命令を送信することをさらに含む、請求項６３記載の方法。
【請求項６７】
前記グループフォーメーション命令を送信することは、前記ＲＦの近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することをさらに含む、請求項６６記載の方法。
【請求項６８】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項６３記載の方法。
【請求項６９】
ワイヤレスワイドエリアネットワークによって促進される、ネットワークエンティティによって動作可能なピアツーピア（Ｐ２Ｐ）ネットワーキングのための方法において、
エアインターフェースチャネルを通して担当ノードを介して、Ｐ２Ｐサービス発見とグループフォーメーション支援のための要求を発信ユーザ機器（ＵＥ）から受信することと、
複数のユーザ機器のうちの、Ｐ２Ｐサービス発見に適切であるスコープされているサブセットを決定することと、
無線周波数（ＲＦ）の近接さの発見に参加するための、前記複数のＵＥのうちの前記スコープされているサブセットの情報を送信することと、
前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して促進することと、
を含む方法。
【請求項７０】
スコープされているサービス発見の一部としてのそれぞれの情報に応答した、前記複数のＵＥのうちの前記スコープされているサブセット内で、Ｐ２Ｐ通信セッションを確立するために、前記パケットコアを介するベアラシグナリングを促進することをさらに含む、請求項６９記載の方法。
【請求項７１】
前記スコープされているサブセットを決定することは、位置と、ネットワークトポロジーと、ユーザの役割と、コンテキスト情報とのうちの選択された少なくとも１つに基づいて、Ｐ２Ｐ通信の適切性を決定することをさらに含む、請求項６９記載の方法。
【請求項７２】
前記少なくとも１つの終端ＵＥとの通信を確立するために、インターネットと前記パケットコアとを介して通信するホームエージェントの選択を促進することをさらに含む、請求項６９記載の方法。
【請求項７３】
前記Ｐ２Ｐ通信セッションを確立および維持するためのグループフォーメーション命令を送信することをさらに含む、請求項６９記載の方法。
【請求項７４】
前記グループフォーメーション命令を送信することは、前記ＲＦの近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することをさらに含む、請求項７３記載の方法。
【請求項７５】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項６９記載の方法。
【請求項７６】
ピアツーピア（Ｐ２Ｐ）ネットワーキングのための装置において、
エアインターフェースチャネルを通して担当ノードを介して、Ｐ２Ｐサービス発見とグループフォーメーション支援のための要求を発信ユーザ機器（ＵＥ）から受信し、複数のＵＥのうちの、Ｐ２Ｐサービス発見に適切であるスコープされているサブセットを決定し、前記複数のＵＥのうちの、前記スコープされているサブセットの情報を送信し、前記発信ＵＥと、前記担当ノードに接続されている少なくとも１つの終端ＵＥとの間のベアラシグナリングを、前記担当ノードと同じ位置に配置されているパケットデータネットワークゲートを介して促進するように構成されている少なくとも１つのプロセッサと、
前記少なくとも１つのプロセッサに結合されており、データを記憶するためのメモリと、
を具備する装置。
【請求項７７】
前記少なくとも１つのプロセッサは、スコープされているサービス発見の一部としてのそれぞれの情報に応答した、前記複数のＵＥのうちの前記スコープされているサブセット内で、Ｐ２Ｐ通信セッションを確立するために、パケットコアを介するベアラシグナリングを促進するようにさらに構成されている、請求項７６記載の装置。
【請求項７８】
前記少なくとも１つのプロセッサは、位置と、ネットワークトポロジーと、ユーザの役割と、コンテキスト情報とのうちの選択された少なくとも１つに基づいてＰ２Ｐ通信の適切性を決定することによって、スコープサブセットを決定する、請求項７６記載の装置。
【請求項７９】
前記少なくとも１つのプロセッサは、前記Ｐ２Ｐ通信セッションを確立および維持するためのグループフォーメーション命令を送信するようにさらに構成されている、請求項７６記載の装置。
【請求項８０】
前記少なくとも１つのプロセッサは、無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を送信するようにさらに構成されている、請求項７９記載の装置。
【請求項８１】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項７６記載の装置。
【請求項８２】
前記装置は、進化したノードＢ（ｅＮＢ）を含む、請求項７６記載の装置。
【請求項８３】
ピアツーピア（Ｐ２Ｐ）ネットワーキングのための装置において、
エアインターフェースチャネルを通して担当ノードを介して、Ｐ２Ｐサービス発見とグループフォーメーション支援のための要求を発信ユーザ機器（ＵＥ）から受信し、複数のＵＥのうちの、Ｐ２Ｐサービス発見に適切であるスコープされているサブセットを決定し、前記複数のＵＥのうちの、前記スコープされているサブセットの情報を送信し、前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して促進するように構成されている少なくとも１つのプロセッサと、
前記少なくとも１つのプロセッサに結合されており、データを記憶するためのメモリと、
を具備する装置。
【請求項８４】
前記少なくとも１つのプロセッサは、スコープされているサービス発見の一部としてのそれぞれの情報に応答した、前記複数のＵＥのうちの前記スコープされているサブセット内で、Ｐ２Ｐ通信セッションを確立するために、前記パケットコアを介するベアラシグナリングを促進するようにさらに構成されている、請求項８３記載の装置。
【請求項８５】
前記少なくとも１つのプロセッサは、位置と、ネットワークトポロジーと、ユーザの役割と、コンテキスト情報とのうちの選択された少なくとも１つに基づいてＰ２Ｐ通信の適切性を決定することによって、スコープサブセットを決定する、請求項８３記載の装置。
【請求項８６】
前記少なくとも１つのプロセッサは、前記少なくとも１つの終端ＵＥとの通信を確立するために、インターネットと前記パケットコアとを介して通信するホームエージェントの選択を促進するようにさらに構成されている、請求項８３記載の装置。
【請求項８７】
前記少なくとも１つのプロセッサは、前記Ｐ２Ｐ通信セッションを確立および維持するためのグループフォーメーション命令を送信するようにさらに構成されている、請求項８３記載の装置。
【請求項８８】
前記少なくとも１つのプロセッサは、無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を送信するようにさらに構成されている、請求項８７記載の装置。
【請求項８９】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項８３記載の装置。
【請求項９０】
前記装置は、進化したノードＢ（ｅＮＢ）を含む、請求項８３記載の装置。
【請求項９１】
ピアツーピア（Ｐ２Ｐ）ネットワーキングのための装置において、
エアインターフェースチャネルを通して担当ノードを介して、Ｐ２Ｐサービス発見とグループフォーメーション支援のための要求を発信ユーザ機器（ＵＥ）から受信する手段と、
複数のＵＥのうちの、Ｐ２Ｐサービス発見に適切であるスコープされているサブセットを決定する手段と、
前記複数のＵＥのうちの、前記スコープされているサブセットの情報を送信する手段と、
前記発信ＵＥと、前記担当ノードに接続されている少なくとも１つの終端ＵＥとの間のベアラシグナリングを、前記担当ノードと同じ位置に配置されているパケットデータネットワークゲートを介して促進する手段と、
を具備する装置。
【請求項９２】
スコープされているサービス発見の一部としてのそれぞれの情報に応答した、前記複数のＵＥのうちの前記スコープされているサブセット内で、Ｐ２Ｐ通信セッションを確立するために、パケットコアを介するベアラシグナリングを促進する手段をさらに具備する、請求項９１記載の装置。
【請求項９３】
位置と、ネットワークトポロジーと、ユーザの役割と、コンテキスト情報とのうちの選択された少なくとも１つに基づいて、Ｐ２Ｐ通信の適切性を決定する手段をさらに具備する、請求項９１記載の装置。
【請求項９４】
前記Ｐ２Ｐ通信セッションを確立および維持するためのグループフォーメーション命令を送信する手段をさらに具備する、請求項９１記載の装置。
【請求項９５】
無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を送信する手段をさらに具備する、請求項９４記載の装置。
【請求項９６】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項９１記載の装置。
【請求項９７】
ピアツーピア（Ｐ２Ｐ）ネットワーキングのための装置において、
エアインターフェースチャネルを通して担当ノードを介して、Ｐ２Ｐサービス発見とグループフォーメーション支援のための要求を発信ユーザ機器（ＵＥ）から受信する手段と、
複数のＵＥのうちの、Ｐ２Ｐサービス発見に適切であるスコープされているサブセットを決定する手段と、
前記複数のＵＥのうちの、前記スコープされているサブセットの情報を送信する手段と、
前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して促進する手段と、
を具備する装置。
【請求項９８】
スコープされているサービス発見の一部としてのそれぞれの情報に応答した、前記複数のＵＥのうちの前記スコープされているサブセット内で、Ｐ２Ｐ通信セッションを確立するために、前記パケットコアを介するベアラシグナリングを促進する手段をさらに具備する、請求項９７記載の装置。
【請求項９９】
位置と、ネットワークトポロジーと、ユーザの役割と、コンテキスト情報とのうちの選択された少なくとも１つに基づいて、Ｐ２Ｐ通信の適切性を決定する手段をさらに具備する、請求項９７記載の装置。
【請求項１００】
前記少なくとも１つの終端ＵＥとの通信を確立するために、インターネットと前記パケットコアとを介して通信するホームエージェントの選択を促進する手段をさらに具備する、請求項９７記載の装置。
【請求項１０１】
前記Ｐ２Ｐ通信セッションを確立および維持するためのグループフォーメーション命令を送信する手段をさらに具備する、請求項９７記載の装置。
【請求項１０２】
無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を送信する手段をさらに具備する、請求項１０１記載の装置。
【請求項１０３】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項９７記載の装置。
【請求項１０４】
エアインターフェースチャネルを通して担当ノードを介して、ピアツーピア（Ｐ２Ｐ）サービス発見とグループフォーメーション支援のための要求を発信ユーザ機器（ＵＥ）からコンピュータに受信させるためのコードと、
複数のＵＥのうちの、Ｐ２Ｐサービス発見に適切であるスコープされているサブセットを前記コンピュータに決定させるためのコードと、
前記複数のＵＥのうちの、前記スコープされているサブセットの情報を前記コンピュータに送信させるためのコードと、
前記発信ＵＥと、前記担当ノードに接続されている少なくとも１つの終端ＵＥとの間のベアラシグナリングを、前記担当ノードと同じ位置に配置されているパケットデータネットワークゲートを介して前記コンピュータに促進させるためのコードと、
を含むコンピュータ読み取り可能記憶媒体。
【請求項１０５】
スコープされているサービス発見の一部としてのそれぞれの情報に応答した、前記複数のＵＥのうちの前記スコープされているサブセット内で、Ｐ２Ｐ通信セッションを確立するために、パケットコアを介するベアラシグナリングを前記コンピュータに促進させるためのコードをさらに含む、請求項１０４記載のコンピュータ読み取り可能記憶媒体。
【請求項１０６】
位置と、ネットワークトポロジーと、ユーザの役割と、コンテキスト情報とのうちの選択された少なくとも１つに基づいて、Ｐ２Ｐ通信の適切性を前記コンピュータに決定させるためのコードをさらに含む、請求項１０４記載のコンピュータ読み取り可能記憶媒体。
【請求項１０７】
前記Ｐ２Ｐ通信セッションを確立および維持するためのグループフォーメーション命令を前記コンピュータに送信させるためのコードをさらに含む、請求項１０４記載のコンピュータ読み取り可能記憶媒体。
【請求項１０８】
無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を前記コンピュータに送信させるためのコードをさらに含む、請求項１０７記載のコンピュータ読み取り可能記憶媒体。
【請求項１０９】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項１０４記載のコンピュータ読み取り可能記憶媒体。
【請求項１１０】
エアインターフェースチャネルを通して担当ノードを介して、ピアツーピア（Ｐ２Ｐ）サービス発見とグループフォーメーション支援のための要求を発信ユーザ機器（ＵＥ）からコンピュータに受信させるためのコードと、
複数のＵＥのうちの、Ｐ２Ｐサービス発見に適切であるスコープされているサブセットを前記コンピュータに決定させるためのコードと、
前記複数のＵＥのうちの、前記スコープされているサブセットの情報を前記コンピュータに送信させるためのコードと、
前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して前記コンピュータに促進させるためのコードと
を含むコンピュータ読み取り可能記憶媒体。
【請求項１１１】
スコープされているサービス発見の一部としてのそれぞれの情報に応答した、前記複数のＵＥのうちの前記スコープされているサブセット内で、Ｐ２Ｐ通信セッションを確立するために、前記パケットコアを介するベアラシグナリングを前記コンピュータに促進させるためのコードをさらに含む、請求項１１０記載のコンピュータ読み取り可能記憶媒体。
【請求項１１２】
位置と、ネットワークトポロジーと、ユーザの役割と、コンテキスト情報とのうちの選択された少なくとも１つに基づいて、Ｐ２Ｐ通信の適切性を前記コンピュータに決定させるためのコードをさらに含む、請求項１１０記載のコンピュータ読み取り可能記憶媒体。
【請求項１１３】
前記少なくとも１つの終端ＵＥとの通信を確立するために、インターネットと前記パケットコアとを介して通信するホームエージェントの選択を前記コンピュータに促進させるためのコードをさらに含む、請求項１１０記載のコンピュータ読み取り可能記憶媒体。
【請求項１１４】
前記Ｐ２Ｐ通信セッションを確立および維持するためのグループフォーメーション命令を前記コンピュータに送信させるためのコードをさらに含む、請求項１１０記載のコンピュータ読み取り可能記憶媒体。
【請求項１１５】
無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を前記コンピュータに送信させるためのコードをさらに含む、請求項１１４記載のコンピュータ読み取り可能記憶媒体。
【請求項１１６】
前記担当ノードから送信すること、および、前記担当ノードにおいて受信することは、進化したユニバーサル移動体電気通信システム地上無線アクセス（Ｅ−ＵＴＲＡ）プロトコルにしたがったものである、請求項１１０記載のコンピュータ読み取り可能記憶媒体。
【発明の詳細な説明】
【米国特許法第１１９条の下での優先権の主張】
【０００１】
本特許出願は、“マルチホーム型ピアツーピアネットワーク”と題し、２０１０年６月１日に出願された仮出願番号第６１／３５０，４３３号に対して優先権を主張し、この出願は、 その全体の参照によりここに明確に組み込まれている。
【背景】
【０００２】
分野
本開示は、移動体オペレーティング環境に関連し、さらに詳細に述べると、パケットデータネットワークゲートウェイが、ピアツーピア（Ｐ２Ｐ）ネットワーキングのために、サービス発見と、グループフォーメーションと、セッションの継続性とを促進することに関する。
【０００３】
背景
音声、ビデオ、パケットデータ、メッセージング、ブロードキャスト等のような、様々な通信コンテンツを提供するために、ワイヤレス通信ネットワークが広範囲に配備されている。これらのワイヤレスネットワークは、利用可能なネットワークリソースを共有することによって、複数のユーザをサポートできる多元接続ネットワークであってもよい。このような多元接続ネットワークの例は、コード分割多元接続（ＣＤＭＡ）ネットワークや、時分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワークを含む。
【０００４】
ワイヤレス通信ネットワークは、多数の、例えば、ユーザ機器（ＵＥ）のような移動体エンティティに対する通信をサポートできる多数の基地局を含んでいてもよい。ＵＥは、ダウンリンクおよびアップリンクを介して、基地局と通信する。ダウンリンク（すなわち、フォワードリンク）は、基地局からＵＥへの通信リンクのことを意味し、アップリンク（すなわち、リーバースリンク）は、ＵＥから基地局への通信リンクのことを意味する。このような通信リンクは、単一入力単一出力、複数入力単一出力、または複数入力複数出力（ＭＩＭＯ）システムによって確立されてもよい。
【０００５】
デュアルモード（すなわちマルチモード）の移動体は、シングルモードの移動体とは対照的に、データ送信またはネットワークの２つ以上の形態と互換性があるＵＥのことを指す。例えば、マルチモードのＵＥは、音声およびデータを送受信するために、２つ以上の技術を使用することがある。マルチモードは、例えば、ＵＥが、音声およびデータのために２つのタイプのセルラ無線を含むといったような、ネットワークの互換性のことを意味することがある。別の態様では、デュアルモードのＵＥは、音声およびデータ通信のために、セルラ無線および非セルラ無線の両方とも使用できる。例えば、所定のデュアルモードのＵＥは、ＧＳＭ(登録商標)／ＣＤＭＡ／Ｗ−ＣＤＭＡを含むセルラ無線とともに、ＩＥＥＥ８０２．１１（Ｗｉ−Ｆｉ）無線、ＷｉＭＡＸ、またはデジタルエンハンスドコードレス電気通信（ＤＥＣＴ）無線のような別の技術を使用してもよい。関連する態様では、Ｗｉ−Ｆｉは、ワイヤレス配信方法（典型的には、拡散スペクトルまたはＯＦＤＭ）によってデバイスをリンク付けし、通常は、より広いインターネットにアクセスポイントを通して接続を提供するワイヤレスローカルエリアネットワーク（ＷＬＡＮ）のサブセットである。これは、ローカルカバレッジエリア内中を移動しても依然としてネットワークに接続させるためのモビリティをユーザに与える。さらなる関連する態様では、マイクロ波アクセスのための世界相互運用（Worldwide Interoperability for Microwave Access）の頭字語であるＷｉＭＡＸは、固定型で、完全なモバイルインターネットアクセスを提供し、そしてＩＥＥＥ８０２．１６標準規格に基づいている。
【０００６】
マルチモードのＵＥの中には、ピアツーピア（Ｐ２Ｐ）通信できるものもある。このピアツーピア（Ｐ２Ｐ）は、（サーバまたは安定ホストのような）中央調整インスタンス（central coordination instance）に対する必要性はなく、他のネットワーク参加者に対して直接的に利用可能な、（処理電力、ディスク記憶またはネットワーク帯域幅のような）それらのリソースの一部を形成する参加者からなる、分散型ネットワークアーキテクチャのことを意味する。
【０００７】
ワイヤレスＰ２Ｐネットワーキングには多数の利点がある一方で、どのデバイスが範囲内に存在するかを決定するサービス発見は難しいことがある。Ｐ２Ｐ ＵＥによる、利用可能なブロードキャストまたは応答の数が、互いの無線周波数（ＲＦ）内に存在する可能性があるデバイスに限定されない場合、サービス発見が“スコープされない”場合に、このことは、それらの利用可能性をブロードキャストする、および、接続をネゴシエートするデバイスに大きな負担をかけることがある。特に、利用可能なエアリンクリソースを消費することがある多くのデバイスが存在する密集したエリアでは、このことが問題となることがある。また、スコープされていないサービス発見に対する応答数が、過剰で意味がないことがある。（例えば、デバイスがＲＦ範囲内に存在することがありそうにもない）。この文脈では、Ｐ２ＰのＵＥは、効率的に、利用可能なＰ２Ｐサービスを発見し、グループを形成する必要がある。グループメンバー間でのＰ２Ｐ通信リンクが、弱くなったとき、または断たれたときでさえも、グループ内のＵＥは、Ｐ２Ｐセッションの継続性を維持する必要がある。
【概要】
【０００８】
このような態様の基本的な理解を提供するために、１つ以上の態様の簡略化した概要を以下は示している。この概要は、すべての意図した態様の広範な概観ではなく、すべての態様の重要なまたは不可欠なエレメントを特定することも、何らかの態様またはすべての態様の範囲を詳細に述べることも意図していない。この唯一の目的は、後に示す、より詳細な説明に対する前置きとして、１つ以上の態様のうちのいくつかの概念を、簡略化した形態で示すことである。
【０００９】
ここで記述した実施形態の１つ以上の態様にしたがった、ワイヤレスワイドエリアネットワークによって促進されるピアツーピア（Ｐ２Ｐ）ネットワーキングのための方法を提供する。方法は、発信ユーザ機器（ＵＥ）によって実行されてもよい。ユーザは、それらのサービス（例えば、Ｐ２Ｐアプリケーション）およびグループフォーメーション情報を発見サーバに登録する。第１のユーザ機器が、エアインターフェースチャネルを通して、Ｐ２Ｐサービス発見およびグループフォーメーション支援のための要求を担当ノード（例えば、発見サーバ）に送信してもよい。ユーザは、発見サーバのアウトバンドの、インターネットプロトコル（ＩＰ）アドレスまたはドメイン名システム（ＤＮＳ）解決可能完全修飾ドメイン名（ＦＱＤＮ）を有するように構成されていてもよい。サービスおよびグループフォーメーション情報は、（応答数が、無線周波数（ＲＦ）範囲内に存在する可能性が高いデバイスに限定される意味で“スコープされる”）スコープされるサービス発見の一部として受信されてもよい。Ｐ２Ｐ通信セッションは、グループフォーメーション手順の一部として、それぞれの情報に応答した第２のＵＥと確立されてもよい。もはやグループの１以上のメンバーがＲＦ範囲中に存在しない場合（すなわち、最初にグループの１以上のメンバーがＲＦ範囲内に存在せず、依然としてパケットコアを介してグループに加わらなかった場合）には、グループの１以上のメンバーは、パケットコアを介してベアラシグナリングに戻ることによって、Ｐ２Ｐ通信セッションの継続性を維持してもよい。関連する態様では、電子デバイス（例えば、発信ＵＥまたはそのコンポーネント）は、上述した手順を実行するように構成していてもよい。
【００１０】
ここで記述した実施形態の１つ以上の態様にしたがった、ワイヤレスワイドエリアネットワークによって促進されるＰ２Ｐネットワーキングのための方法を提供する。方法は、ネットワークエンティティ（例えば、ｅＮＢ）によって実行されてもよい。Ｐ２Ｐサービス発見およびグループフォーメーション支援のための要求を、エアインターフェースチャネルを通して担当ノードを介して、第１のＵＥから受信してもよい。Ｐ２Ｐサービス発見に適切である、複数のＵＥのスコープされているサブセットを決定してもよい。ＲＦの近接さの発見に参加する（すなわち、スコープされているサブセットのＵＥがＲＦ範囲内に存在するか否かを決定する）するために、複数のＵＥのスコープされているサブセットに情報を送信してもよい。関連する態様では、電子デバイス（例えば、それらの、ネットワークエンティティまたはコンポーネント）は、上述した手順を実行するように構成していてもよい。
【００１１】
先述の関連した目的の達成のために、詳細な説明および添付した図面とともに、１つ以上の態様は、以下で十分に記述した特徴および特許請求の範囲において特に指摘した特徴を含む。以下の説明および添付した図面では、１つ以上の態様のいくつかの例示的な特徴を詳細に述べている。しかしながら、これらの特徴は、ほんの数例の様々な方法を示しているにすぎず、ここでは、様々な態様の原理を用いてもよく、この記述はこのようなすべての態様、および、これらの均等物を含むことを意図している。
【図面の簡単な説明】
【００１２】
【図１Ａ】図１Ａは、ワイヤレス通信ネットワークを示している。
【図１Ｂ】図１Ｂは、サービス発見と、グループフォーメーションと、セッションの継続性とをエンハンスする上位レイヤインプリメンテーションを持つワイヤレスピアツーピア（Ｐ２Ｐ）システムの概略図を図示している。
【図２Ａ】図２Ａは、発信ユーザ機器（ＵＥ）によって実行可能なＰ２Ｐネットワーキング手順の例を図示している。
【図２Ｂ】図２Ｂは、図２Ａの手順のさらなる態様を図示している。
【図２Ｃ】図２Ｃは、ネットワークエンティティによって実行可能なＰ２Ｐネットワーキング手順の例を図示している。
【図２Ｄ】図２Ｄは、図２Ｃの手順のさらなる態様を図示している。
【図３】図３は、ＬＴＥ Ｐ２Ｐ ダイレクト通信のための、最適化されている進化したパケットシステム（ＥＰＳ）ネットワークアーキテクチャの概略図を図示している。
【図４】図４は、ＬＴＥ Ｐ２Ｐ ダイレクト通信のための、最適化されていない進化したパケットシステム（ＥＰＳ）ネットワークアーキテクチャの概略図を図示している。
【図５】図５は、進化した基地ノード（ｅＮＢ）と同じ位置に配置されているパケットデータネットワークゲートウェイ（ＰＤＮＧＷ）を持つＥＰＳネットワークアーキテクチャの概略図を図示している。
【図６】図６は、進化したパケットコア（ＥＰＣ）に位置付けられているＰＤＮＧＷを持つＥＰＳネットワークアーキテクチャの概略図を図示している。
【図７】図７は、コアネットワークに位置付けられているホームエージェント（ＨＡ）を持つＥＰＳネットワークアーキテクチャの概略図を図示している。
【図８】図８は、ＬＴＥ Ｐ２Ｐ グループオーナーデバイスアーキテクチャ − ユーザプレーンの概略図を図示している。
【図９】図９は、ＬＴＥ Ｐ２Ｐ クライアントデバイスアーキテクチャ − コントロールプレーンの概略図を図示している。
【図１０】図１０は、ＬＴＥ Ｐ２Ｐ グループオーナーデバイスアーキテクチャ−コントロールプレーンの概略図を図示している。
【図１１】図１１は、ＬＴＥ Ｐ２Ｐ サービス発見手順の第１のステップの図を図示している。
【図１２】図１２は、ＬＴＥ Ｐ２Ｐ サービス発見手順の第２のステップの図を図示している。
【図１３】図１３は、ＬＴＥ Ｐ２Ｐ グループフォーメーション手順の第１のステップの図を図示している。
【図１４】図１４は、ＬＴＥ Ｐ２Ｐ グループフォーメーション手順の第２のステップの図を図示している。
【図１５】図１５は、ＬＴＥ Ｐ２Ｐ クライアントおよびグループオーナーが、互いに近接しているＲＦ内に存在しているときの、ＬＴＥ Ｐ２Ｐ ネットワークの概略図を図示している。
【図１６】図１６は、ＬＴＥ Ｐ２Ｐ クライアントおよびグループオーナーが、互いに近接しているＲＦ内に存在していないときの、ＬＴＥ Ｐ２Ｐ ネットワークの概略図を図示している。
【図１７】図１７は、Ｐ２Ｐダイレクト通信接続の無線リンク障害（ＲＬＦ）のための、ＤＳＭＩＰｖ６のハイレベルなコールフローのタイミング図を図示している。
【図１８】図１８は、Ｐ２Ｐダイレクト通信接続のＲＬＦのための、Ｓｈｉｍ６のハイレベルなコールフローのタイミング図を図示している。
【図１９】図１９は、例示的な３ＧＰＰリリース８のＰＤＣＰレイヤのブロック図であり、ＥＰＳベアラのためのユーザプレーンを示している。
【図２０】図２０は、例示的なＬＴＥ Ｐ２Ｐ ＰＤＣＰレイヤのブロック図であり、Ｐ２Ｐタイプ−１および２のＥＰＳベアラのためのユーザプレーンを示している。
【図２１】図２１は、ヘッダフォーマットのための、３ＧＰＰリリース８の汎用パケット無線システム（ＧＰＲＳ）トンネリングプロトコルユーザプレーン（ＧＴＰｖ１−Ｕ）のデータ構成図を図示している。
【図２２】図２２は、ＰＤＣＰパケットデータユニット（ＰＤＵ）番号の拡張ヘッダのデータ構成図を図示している。
【図２３】図２３は、同じｅＮＢ中にあり、最適化されているＥＰＳネットワークアーキテクチャを備えるＵＥのシナリオの図を図示している。
【図２４】図２４は、ＬＴＥ Ｐ２Ｐのための、オペレータ間および最適化されていないＥＰＳアーキテクチャに対するシナリオの図を図示している。
【図２５】図２５は、ＬＴＥ Ｐ２Ｐのベアラのセットアップのための、例示的な終端間でのコールフローのシナリオのタイミング図を図示しており、ここで、Ｐ２Ｐグループステータスは、Ｐ２Ｐダイレクト通信確立のときに、ＵＥはグループに属していないことである。
【図２６】図２６は、多元接続ワイヤレス通信システムの概略図を図示している。
【図２７】図２７は、複数入力複数出力ワイヤレス通信のための、２つのノードの概略図を図示している。
【図２８】図２８は、ワイヤレスワイドエリアネットワークによって促進されるピアツーピアネットワーキングのための、ユーザ機器におけるような電気コンポーネントの論理グルーピングのシステムの概略図を図示している。
【図２９】図２９は、ワイヤレスワイドエリアネットワークによって促進されるピアツーピアネットワーキングのための、ネットワークサーバにおけるような電気コンポーネントの論理グルーピングのシステムの概略図を図示している。
【詳細な説明】
【００１３】
ピアツーピア（Ｐ２Ｐ）通信をサポートする技術をここで記述する。ワイヤレスワイドエリアネットワーク（ＷＷＡＮ）およびワイヤレスローカルエリアネットワーク（ＷＬＡＮ）のような様々なワイヤレス通信ネットワークに対して、本技術を使用してもよい。「ネットワーク」および「システム」という用語は、互換性があるように使用されることが多い。ＷＷＡＮは、ＣＤＭＡ、ＴＤＭＡ、ＦＤＭＡ、ＯＦＤＭＡ、ＳＣ−ＦＤＭＡおよび／または他のネットワークであってもよい。ＣＤＭＡネットワークは、ユニバーサル地上無線アクセス（ＵＴＲＡ）、ｃｄｍａ２０００等のような無線技術を実現してもよい。ＵＴＲＡは、ワイドバンドＣＤＭＡ（ＷＣＤＭＡ）や、ＣＤＭＡの他の変形を含む。ｃｄｍａ２０００は、ＩＳ−２０００、ＩＳ−９５、およびＩＳ−８５６標準規格をカバーする。ＴＤＭＡネットワークは、グローバルシステムフォーモバイル通信（ＧＳＭ）（登録商標）のような無線技術を実現してもよい。ＯＦＤＭＡネットワークは、進化したＵＴＲＡ（Ｅ−ＵＴＲＡ）や、ウルトラモバイルブロードバンド（ＵＭＢ）や、ＩＥＥＥ８０２．１６（Ｗｉ−ＭＡＸ）や、ＩＥＥＥ８０２．２０や、フラッシュ−ＯＦＤＭ等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥ−アドバンスド（ＬＴＥ−Ａ）は、ダウンリンク上ではＯＦＤＭＡを、アップリンク上ではＳＣ−ＦＤＭＡを用いるＥ−ＵＴＲＡを使用する、新しいリリースのＵＭＴＳである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と名付けられている機関による文書中に記述されている。ｃｄｍａ２０００およびＵＭＢは、「第３世代パートナーシッププロジェクト２」（３ＧＰＰ２）と名付けられている機関による文書中に記述されている。ＷＬＡＮは、ＩＥＥＥ８０２．１１（Ｗｉ−Ｆｉ）、Ｈｉｐｅｒｌａｎ等のような無線技術を実現してもよい。
【００１４】
先に説明したワイヤレスネットワークおよび無線技術とともに、他のワイヤレスネットワークおよび無線技術に対して、ここで記述した技術を使用してもよい。明確にするために、技術のいくつかの態様を３ＧＰＰネットワークおよびＷＬＡＮについて以下で記述し、以下の記述の大部分ではＬＴＥおよびＷＬＡＮの専門用語を使用する。「例として、事例として、あるいは実例として機能すること」を意味するために、「例示的な」という用語をここで使用する。「例示的な」ものとして、ここで記述するいずれの実施形態も、他の実施形態と比較して、必ずしも、好ましいまたは効果的なものと解釈されるものではない。
【００１５】
これから、図面を参照して、様々な態様を記述する。以下の記述では、説明の目的のために、１つ以上の態様の十分な理解を提供するために、多数の特定の詳細を述べる。しかしながら、これらの特定の詳細なしに、様々な態様を実施してもよいことは明らかである。他の事例では、記述しているこれらの態様を促進するために、よく知られている構成およびデバイスをブロック図の形態で示す。
【００１６】
図１Ａは、ワイヤレス通信ネットワーク１０を示しており、このワイヤレス通信ネットワーク１０は、ＬＴＥネットワークまたは他の何らかのワイヤレスネットワークであってもよい。ワイヤレスネットワーク１０は、多数の進化したノードＢ（ｅＮＢ）３０と他のネットワークエンティティとを含んでいてもよい。ｅＮＢは、移動体エンティティ（例えば、ユーザ機器（ＵＥ））と通信するエンティティであってもよく、基地局、ノードＢ、アクセスポイント等と呼ばれることもある。典型的には、ｅＮＢは、基地局よりも良い機能性を持つが、“ｅＮＢ”および“基地局”という用語は、ここでは交換可能に使用する。各ｅＮＢ３０は、特定の地理的エリアに対する通信カバレッジを提供してもよく、通信カバレッジエリア内に位置付けられている移動体エンティティ（例えば、ＵＥ）に対する通信をサポートしてもよい。ネットワーク容量を改善するために、ｅＮＢのカバレッジエリア全体を、複数の（例えば、３つの）より狭いエリアに区分してもよい。より小さい各エリアは、それぞれのｅＮＢサブシステムによって担当されていてもよい。３ＧＰＰでは、「セル」という用語は、この用語が使用されている文脈に応じて、このカバレッジエリアを担当しているｅＮＢおよび/またはｅＮＢサブシステムの最も狭いカバレッジエリアのことを意味することがある。
【００１７】
ｅＮＢは、マクロセル、ピコセル、フェムトセル、および／または他のタイプのセルに対する通信カバレッジを提供してもよい。マクロセルは、比較的広い地理的エリア（例えば、半径数キロメートル）をカバーしてもよく、サービス加入しているＵＥによって制限されていないアクセスを可能にしてもよい。ピコセルは、比較的狭い地理的エリアをカバーしてもよく、サービス加入しているＵＥによって制限されていないアクセスを可能にしてもよい。フェムトセルは、比較的狭い地理的エリア（例えば、ホーム）をカバーしてもよく、フェムトセルと関係を持つＵＥ（例えば、閉じられた加入者グループ（ＣＳＧ）におけるＵＥ）によって制限されているアクセスを可能にしてもよい。図１Ａ中で示されている例では、ｅＮＢ３０ａ、ｅＮＢ３０ｂ、およびｅＮＢ３０ｃは、それぞれ、マクロセルグループ２０ａ、２０ｂ、および２０ｃ用のマクロｅＮＢであってもよい。セルグループ２０ａ、２０ｂ、および２０ｃの各々は、複数の（例えば、３つ）セルまたはセクタを含んでいてもよい。ｅＮＢ３０ｄは、ピコセル２０ｄ用のピコｅＮＢであってもよい。ｅＮＢ３０ｅは、フェムトセル２０ｅ用の、フェムトｅＮＢすなわちフェムトアクセスポイント（ＦＡＰ）であってもよい。
【００１８】
ワイヤレスネットワーク１０はまた、（図１Ａ中では示されていない）中継器を備えていてもよい。中継器は、アップストリーム局（例えば、ｅＮＢまたはＵＥ）からのデータの送信を受信したり、データの送信をダウンストリーム局（例えば、ＵＥまたはｅＮＢ）に送ったりできるエンティティであってもよい。中継器はまた、他のＵＥに対する送信を中継できるＵＥであってもよい。
【００１９】
ネットワーク制御装置５０は、ｅＮＢのセットに結合させてもよく、これらのｅＮＢに対する調整および制御を提供してもよい。ネットワーク制御装置５０は、単一のネットワークエンティティまたはネットワークエンティティの集まりを含んでいてもよい。ネットワーク制御装置５０は、バックホールを介してｅＮＢと通信してもよい。ｅＮＢはまた、例えば、ワイヤレスまたはワイヤードバックホールを介して、直接的にまたは間接的に、互いに通信してもよい。
【００２０】
ＵＥ４０は、ワイヤレスネットワーク１０全体を通して分散されているかもしれず、各ＵＥは、据置型のものであっても、または、移動型のものであってもよい。ＵＥは、移動局、端末、アクセス端末、加入者ユニット、局等と呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ノートブック、スマートブック等であってもよい。ＵＥは、ｅＮＢ、中継器等と通信できてもよい。ＵＥは、他のＵＥともピアツーピア（Ｐ２Ｐ）通信できてもよい。
【００２１】
ワイヤレスネットワーク１０は、ダウンリンクおよびアップリンクの各々に対する単一搬送波または多重搬送波上での動作をサポートしてもよい。搬送波は、通信に使用される周波数の範囲のことを意味することがあり、ある特徴に関連することがある。多重搬送波上での動作は、マルチ搬送波動作または搬送波集約と呼ぶこともある。ＵＥは、ｅＮＢとの通信のために、ダウンリンクのための１つ以上の搬送波（すなわち、ダウンリンク搬送波）上で、および、アップリンクのための１つ以上の搬送波（すなわち、アップリンク搬送波）上で動作してもよい。ｅＮＢは、１つ以上のダウンリンク搬送波上で、データおよび制御情報をＵＥに送ってもよい。ＵＥは、１つ以上のアップリンク搬送波上でデータおよび制御情報をｅＮＢに送ってもよい。１つの設計では、ダウンリンク搬送波は、アップリンク搬送波と対であってもよい。この設計では、所定のダウンリンク搬送波上でデータ送信をサポートするための制御情報は、そのダウンリンク搬送波上で、および、関連したアップリンク搬送波上で送られてもよい。同様に、所定のアップリンク搬送波上でのデータ送信をサポートするための制御情報は、そのアップリンク搬送波上で、および、関連したダウンリンク搬送波上で送られてもよい。別の設計では、搬送波間の制御がサポートされてもよい。この設計では、所定のダウンリンク搬送波上でのデータ送信をサポートするための制御情報が、ダウンリンク搬送波の代わりに、別のダウンリンク搬送波（例えば、基地搬送波）上で送られてもよい。
【００２２】
ワイヤレスネットワーク１０は、所定の搬送波に対する搬送波拡張をサポートしてもよい。搬送波拡張では、異なるシステム帯域幅が、搬送波上で、異なるＵＥに対してサポートされてもよい。例えば、ワイヤレスネットワークは、（ｉ）第１のＵＥ（例えば、ＬＴＥリリース８または９を、あるいは、他の何らかのリリースをサポートするＵＥ）に対するダウンリンク搬送波上での第１のシステム帯域幅と、（ｉｉ）第２のＵＥ（例えば、より新しいＬＴＥリリースをサポートするＵＥ）に対するダウンリンク搬送波上での第２のシステム帯域幅とをサポートしてもよい。第２のシステム帯域幅は、完全に、または、部分的に、第１のシステム帯域幅とオーバーラップしていてもよい。例えば、第２のシステム帯域幅は、第１のシステム帯域幅の片方または両方において、第１のシステム帯域幅および付加的な帯域幅を含んでいてもよい。データを、場合によっては制御情報を第２のＵＥに送るために、付加的なシステム帯域幅が使用されてもよい。
【００２３】
ワイヤレスネットワーク１０は、単一入力単一出力（ＳＩＳＯ）、単一入力複数出力（ＳＩＭＯ）、複数入力単一出力（ＭＩＳＯ）、および／または複数入力複数出力（ＭＩＭＯ）によってデータ送信をサポートしてもよい。ＭＩＭＯでは、送信機（例えば、ｅＮＢ）は、複数の送信アンテナから、受信機（例えば、ＵＥ）における複数の受信アンテナにデータを送信してもよい。（例えば、異なるアンテナからの同じデータを送信することによって）信頼性を改善させるために、および／または、（例えば、異なるアンテナからの異なるデータを送信することによって）スループットを改善させるために、ＭＩＭＯを使用してもよい。
【００２４】
ワイヤレスネットワーク１０は、単一ユーザ（ＳＵ）ＭＩＭＯ、複数ユーザ（ＭＵ）ＭＩＭＯ、協調マルチポイント（ＣｏＭＰ）等をサポートしてもよい。ＳＵ−ＭＩＭＯでは、セルは、所定の時間周波数リソース上で、プリコーディングして、または、プリコーディングせずに、複数のデータストリームを単一のＵＥに送信してもよい。ＭＵ−ＭＩＭＯでは、セルは、同じ時間周波数リソース上で、プリコーディングして、または、プリコーディングせずに、複数のデータストリームを複数のＵＥ（例えば、１つのデータストリームを各ＵＥ）に送信してもよい。ＣｏＭＰは、協調送信および／またはジョイント処理を含んでいてもよい。協調送信では、指定されているＵＥに向けて、および／または１つ以上の干渉されているＵＥから離れて、データ送信が操作されるように、複数のセルが、所定の時間周波数リソース上で、１つ以上のデータストリームを単一のＵＥに送信してもよい。ジョイント処理では、複数のセルが、プリコーディングして、または、プリコーディングせずに、同じ時間周波数リソース上で、複数のデータストリームを複数のＵＥ（例えば、１つのデータストリームを各ＵＥ）に送信してもよい。
【００２５】
ワイヤレスネットワーク１０は、データ送信の信頼性を改善させるために、ハイブリッド自動反復再送信（ＨＡＲＱ）をサポートしてもよい。ＨＡＲＱでは、送信機（例えば、ｅＮＢ）は、必要であるならば、パケットが受信機（例えば、ＵＥ）によって正確にデコードされるまで、または最大数の送信が送られるまで、または他の何らかの終端条件に遭遇するまで、データパケット（またはトランスポートブロック）の送信を送ってもよく、および、１つ以上の付加的な送信を送ってもよい。したがって、送信機は、可変数の送信パケットを送ってもよい。
【００２６】
ワイヤレスネットワーク１０は、同期動作または非同期動作をサポートしてもよい。同期動作では、ｅＮＢは、類似したフレームタイミングを持っていてもよく、異なるｅＮＢからの送信は、近似的に時間的に整列してもよい。非同期動作では、ｅＮＢは、異なるフレームタイミングを持っていてもよく、異なるｅＮＢからの送信は、時間的に整列されなくてもよい。
【００２７】
ワイヤレスネットワーク１０は、周波数分割デュプレクス（ＦＤＤ）または時分割デュプレクス（ＴＤＤ）を利用してもよい。ＦＤＤでは、ダウンリンクおよびアップリンクには、別個の周波数チャネルが割り振られてもよく、ダウンリンク送信およびアップリンク送信は、２つの周波数チャネル上で同時に送られてもよい。ＴＤＤでは、ダウンリンクおよびアップリンクは、同じ周波数チャネルを共有してもよく、ダウンリンク送信およびアップリンク送信は、同じ周波数チャネル上で異なる時間期間中に送られてもよい。関連する態様では、以下でさらに詳細に記述するＦＡＰ同期アルゴリズムを、ＦＤＤまたはＴＤＤ多重化を使用しているＦＡＰに適用してもよい。
【００２８】
ここで記述した実施形態の１つ以上の態様にしたがって、アプリケーションレイヤおよび／または上位レイヤプロトコルを使用して、発信ＵＥが、どのように、スコープされるサービスを登録して、スコープされたサービスを発見するかを取り扱う技術を提供する。ここでは、発見された結果が、発信ＵＥのスコープ内の（すなわち、ＲＦ範囲内に存在する可能性がある）、他の終端ＵＥに対するものであるように、スコープは、（例えば、基地局の、または、ＵＥの）位置を参照してもよい。サービス発見クエリは、特有なＰ２Ｐアプリケーションおよびグループフォーメーション情報に対するものであってもよい。また、発信ＵＥが、どのように、グループを形成するか、またはグループに加わるかに関連する技術を、あるいは、１つ以上の終端ＵＥとのＰ２Ｐダイレクト通信リンクに関連する技術（すなわち、グループフォーメーション手順）をここで記述する。また、ＵＥが移動して、Ｐ２Ｐダイレクト通信リンクが断たれた（すなわち、１つ以上のＵＥが、もはや、ＲＦ範囲内に存在していない）場合に、どのように、Ｐ２Ｐグループ中のＵＥと１つ以上のＵＥとの間で、セッションの継続性を維持するかに関連する技術をここで記述する。
【００２９】
従来のサービス発見メカニズムは、サービス位置プロトコルや、バージョン２（ＳＬＰｖ２）や、Ｚｅｒｏｃｏｎｆｉｇや、ユニバーサルプラグおよびプレイ（Universal Plug and Play:ＵＰｎＰ）や、ウェブサービス動的発見（Web Service Dynamic Discovery：ＷＳ−Discovery）や、ユニバーサルな、記述、発見、および統合（Universal Description, Discovery and Integration：ＵＤＤＩ）や、ウェブサービスレジストリを使用する、表現状態転送（Representational State Transfer：ＲＥＳＴ）ベースのソリューションや、ブルートゥース（登録商標）や、セッション開始プロトコル（ＳＩＰ）存在サービスや、ＩＥＥＥ８０２．１５．４標準規格等に基づいて小型の低電力のデジタル無線を使用するハイレベルな通信プロトコルのスーツのための仕様であるＺｉｇｂｅｅ(登録商標)等を含むことに留意されたい。しかしながら、大多数のこれらの既存のサービス発見メカニズムは、ＲＥＳＴベースソリューションを除いて、ＬＴＥ Ｐ２Ｐ サービス発見の要件が欠けている。ＲＥＳＴベースソリューションの利点は、Ｐ２ＰグループフォーメーションおよびＰ２Ｐピア間でのシグナリングの維持のためにも使用できることである。拡張可能マークアップ言語（ＸＭＬ）ベースソリューションに関しては、オプションは、ハイパーテキスト転送プロトコル（Hypertext Transfer Protocol：ＨＴＴＰ）によるＳＯＡＰ（SOAP over Hypertext）とともに、ＲＥＳＴも含む。ある適用では、ＨＴＴＰ方法の使用を適切にすることから、ＲＥＳＴがＳＯＡＰと比べて好ましいことがある。
【００３０】
これらの問題および他の関連する問題を取り扱うために、ここで記述した技術は、ウェブサービス（すなわち、ＨＴＴＰ、ＵＲＩおよびＸＭＬスキーマ／ドキュメントを含むＲＥＳＴ）を使用して、スコープするサービス発見ウェブサーバを実現することを含んでいてもよい。このスコープするサービス発見ウェブサーバは、移動局が、この移動局ＯＳ上のアプリケーション（すなわち、サービス発見アプリケーション）を介してアクセスできるものである。関連する態様では、グループフォーメーションを取り扱うために、ここで記述した技術は、ウェブサービスを使用して、発信ＵＥと終端ＵＥとの間でインターネットプロトコル（ＩＰ）パケットを交換し、終端ＵＥをトリガして、発信ＵＥに対して、パイロット信号すなわちビーコンを送信する、そしてオプション的にはＲＦ信号強度測定値を報告する（代替的には、代わりに、発信ＵＥが、そのパイロット信号すなわちビーコンを送信することを提案してもよい）ことを含んでいてもよい。これにより、互いに近接しているＲＦ内に終端ＵＥが存在するか否かを発信ＵＥが決定することが可能になる。
【００３１】
さらなる関連する態様では、セッションの継続性の維持を取り扱うために、ここで記述した技術は、デュアルスタックモバイルＩＰｖ６（Dual Stack Mobile Ipv6：ＤＳＭＩＰｖ６）またはＳｈｉｍ６を使用し、Ｐ２Ｐアプリケーションに対する透明性を維持しつつ、条件が正当である場合には、ＵＥが、ダイレクトＰ２Ｐ通信リンクと基地局への通信リンクとを切り替えることを可能にすることを含んでいてもよい。さらに、さらなる関連する態様では、ここで記述した技術は、主にアプリケーションレイヤ／上位レイヤプロトコルによることに基づいているので、この技術は、ダイレクトＰ２Ｐ通信リンクのための、および、基地局へのリンクのための、何らかの無線アクセス技術（ＲＡＴ）に役立つことができる。このことは、ライセンスされているスペクトルの使用を可能にしつつ、同じ時間に、オペレータ間移動局のＰ２Ｐグループを確立することを可能にする。ここで記述した技術は、従来のアプローチと比べて改善しており、拡張可能性／柔軟性とＲＡＴ透明性とを限定することがある物理（ＰＨＹ）レイヤにおいてサービス発見に対する課題を取り扱うことができる。ここで記述した技術は、他の従来のアプローチと比べて改善しており、ウェブサービス／ＩＰレイヤの代わりにＲＡＴ特有な制御シグナリングを使用することによって、グループフォーメーション問題を取り扱うことを含んでいてもよい。
【００３２】
図１Ｂを参照すると、ワイヤレスＰ２Ｐシステム１００が示されており、このワイヤレスＰ２Ｐシステム１００が、Ｐ２Ｐエアインターフェースチャネル１０１またはダイレクト通信リンク１０２に対する、サービス発見、グループフォーメーション、およびセッションの継続性をエンハンスするための上位レイヤ技術を実現する。このダイレクト通信リンク１０２は、発信ＵＥ１０６および終端ＵＥ１０８との間で、それぞれ、シグナリングおよびベアラデータ１０４を運ぶ。発見をスコープすることによってこの通信を促進するために、発信ＵＥ１０６および終端ＵＥ１０８は、既に確立されている進化したパケットシステム（ＥＰＳ）ベアラを通して、無線アクセスネットワーク（ＲＡＮ）１１２と、特にｅＮＢ１１４と通信することによって、ＷＷＡＮ１１０全体にわたって通信してもよい。いくつかの事例では、終端ＵＥ１０８は、別のｅＮＢ１２０によって担当されてもよい。発信ＵＥ１０６および終端ＵＥ１０８の両方が同じｅＮＢ１１４によって担当されている場合、ＬＴＥネットワークアーキテクチャ１２４全体にわたったＰ２Ｐタイプ−１のＥＰＳベアラ１２２の確立が、進化したパケットコア（ＥＰＣ）１２６を介して行われてもよい。付加的なパケットデータは、ＥＰＣ１２６またはこれに類するものを介して、インターネット１２８と交換されてもよい。
【００３３】
発信ＵＥ１０６は、発見サーバ１３０にコンタクトしてもよく、この発見サーバ１３０が、インターネット１２８と通信し、サービス発見およびグループフォーメーション情報１３１を取得する。その後、発信ＵＥ１０６が、終端ＵＥ１０８にコンタクトしてよく、終端ＵＥ１０８が、グループフォーメーション手順を実行するために、要求されたＰ２Ｐアプリケーション１３２をサポートする。
【００３４】
発信ＵＥ１０６は、サービス発見手順の結果に基づいて、Ｐ２Ｐタイプ−１のＥＰＳベアラの確立のために、特有なパケットデータネットワーク（ＰＤＮ）ゲートウェイ（ＧＷ）（ＰＤＮＧＷ）１３４を選んでもよい。例えば、発信ＵＥ１０６が、同じセル中に終端ＵＥ１０８が存在すること、または、発信ＵＥ１０６と同じｅＮＢ１１４によって担当されていることを見出す。したがって、ＰＤＮＧＷ１３４は、ｅＮＢ１１４と同じ位置に配置できる。結果的に、サービス発見等のために使用された元々のＥＰＳベアラは、Ｐ２Ｐタイプ−１のＥＰＳベアラとして使用されない。コアネットワークからトラフィックをオフロードするために、互いに近接しているＲＦ内にＵＥ１０６、１０８が存在しない場合（例えば、図３のＥＰＳネットワークアーキテクチャ３００参照）、Ｐ２Ｐタイプ−１のＥＰＳベアラは、両方のＵＥに対してｅＮＢ１１４と同じ位置に配置されているＰＤＮＧＷと確立できる。異なるｅＮＢに属している異なるセル中に発信ＵＥ１０６および終端ＵＥ１０８が存在する場合でさえも、ｅＮＢ１１４とｅＮＢ１２０との間の接続がある場合（例えば、ｅＮＢ１１４、１２０間にＸ２インターフェースが存在する場合）には、両方のＵＥに対するＰ２Ｐタイプ−１のＥＰＳベアラの確立のために、ｅＮＢ１１４と同じ位置に配置されているＰＤＮＧＷ１３４を依然として使用できることに留意されたい。
【００３５】
別の例では、終端ＵＥ１０８が、異なるｅＮＢ１２０によって担当され、ｅＮＢ１１４とｅＮＢ１２０との間で接続（すなわち、Ｘ２インターフェース）がない別のセル中に存在していることがある；したがって、ＰＧＮＧＷ１３４は、ｅＮＢ１２０の外のＥＰＣ１２６に位置付けられていることがある（このケースでは、Ｐ２Ｐタイプ−１のＥＰＳベアラを確立する、または、サービス発見等のために使用した元々のＥＰＳベアラがＰ２Ｐタイプ−１のＥＰＳベアラであるかもしれない別の方法を見る必要はない）。互いに近接しているＲＦ内にＵＥ１０６、１０８が存在していない場合には、既に確立されているＥＰＳベアラを使用してもよい。その後、ＲＡＮまたはコアネットワークとほとんど関係なく、Ｐ２Ｐダイレクト通信リンク１０２は、Ｐ２Ｐタイプ−２のＥＰＳベアラ１０４を介して確立されてもよい。Ｐ２Ｐダイレクト通信リンク中で途絶されている（すなわち、互いに近接しているＲＦ内にＵＥ１０６、１０８が存在せず、Ｐ２Ｐタイプ−２のＥＰＳベアラ１０４を使用できない）場合には、ＬＴＥネットワークアーキテクチャ１２４全体にわたった、Ｐ２Ｐタイプ−１のＥＰＳベアラ１２２または既に確立されているＥＰＳベアラが使用されてもよく、これによりセッションの継続性が提供される。
【００３６】
関連する態様では、発信ＵＥ１０６のような所定の装置に、ＷＷＡＮによって促進されるＰ２Ｐネットワーキング用のＬＴＥ Ｐ２Ｐ グループオーナーアプリケーション１３６が提供されてもよい。ＵＥ１０６は、（例えば、既に確立されているＥＰＳベアラを使用して）エアインターフェースチャネル１０１を通して担当ノード１１４を介して、Ｐ２Ｐサービス発見とグループフォーメーション支援のための要求とを発見サーバ１３０に送信するための、送信機１３８を備えていてもよい。ＵＥ１０６は、Ｐ２Ｐ通信セッションに参加するために、スコープされている情報を発見サーバ１３０から受信するための受信機１４０を備えている。ＵＥ１０６は、ＬＴＥ Ｐ２Ｐ クライアントアプリケーション１４４またはこれに類するものを使用する終端ＵＥ１０８とのＰ２Ｐ通信セッションを、その送信機１３８と受信機１４０とを介して確立するためのコンピューティングプラットフォーム１４２を備えていてもよい。さらに、これは、既に確立されているＥＰＳベアラを使用して実行されてもよい。
【００３７】
さらなる関連する態様では、発見サーバ１３０のような所定の装置に、ワイヤレスワイドエリアネットワークによって促進されるＰ２Ｐネットワーキング用のＬＴＥ Ｐ２Ｐ ネットワークアプリケーション１４６が提供されてもよい。サーバ１３０は、受信機１４８を備えていてもよく、受信機１４８が、エアインターフェースチャネル１０１を通して担当ノード１１４を介して、Ｐ２Ｐサービス発見およびグループフォーメーション支援のための要求を発信ＵＥ１０６から受信する。サーバ１３０は、コンピューティングプラットフォーム１５０を備えていてもよく、このコンピューティングプラットフォーム１５０が、Ｐ２Ｐサービス発見に適切である、複数のＵＥのスコープするサブセットを決定する。ＵＥは、前もって、サーバ１３０との通信動作中に、それらのスコープされるサービスとグループフォーメーション情報とを、サーバ１３０または別の発見サーバに登録している。サーバ１３０は、複数のＵＥのスコープしたサブセットの情報１３１を発信ＵＥ１０６に送信する送信機１５２を備えていてもよい。例えば、ＵＥ１０８によるパイロット信号すなわちビーコン１５６の送信を促すために、発見サーバ１３０は、このような情報も終端ＵＥ１０８のＬＴＥ Ｐ２Ｐ クライアントアプリケーション１５４に送信できる。発見サーバ１３０は、スコープサービス登録もＵＥから受信できる。
【００３８】
ここで示され記述されている例示的なシステムを考慮して、開示した主題事項にしたがって実現できる手順は、様々なフローチャートを参照してより良く正しく認識されるだろう。説明の簡潔性の目的のために、手順を一連の動作／ブロックとして説明および記述しているが、いくつかのブロックが、ここで描写および記述したブロックとは異なった順序で、および／または、他の動作と実質的に同時に行われることがあるので、ブロックの数または順序によって、請求項に記載した主題事項が限定されないことを理解および正しく認識すべきである。さらに、ここで記述した手順を実現するために、すべての図示したブロックを必要とするわけではない。ブロックに関係する機能は、ソフトウェア、ハードウェア、これらを組み合わせたもの、または他の適した手段(例えば、デバイス、システム、プロセス、またはコンポーネト)によって実現してもよいことを正しく認識すべきである。付加的に、この明細書中全体を通して開示した手順は、このような手順の様々なデバイスへの移送および転送を促進するために製造業者の物上に記憶できることをさらに正しく認識すべきである。例えば、状態図等において、一連の相関状態またはイベントとして手順を代替的に表すことができることを、当業者は理解および正しく認識するだろう。
【００３９】
図２Ａを参照すると、発信ＵＥまたはこれに類するものによって動作可能な、Ｐ２Ｐネットワーキングのための手順２００が示されており、このＰ２Ｐネットワーキングは、ＷＷＡＮによって促進されてもよい。発信ＵＥが、エアインターフェースチャネルを通して担当ノードを介して、Ｐ２Ｐサービス発見およびグループフォーメーション支援のための要求を発見サーバに送信してもよい（ブロック２０２）。前もって、後の発見を促進するために、ＵＥが、それらのスコープされるサービスを発見サーバに登録していてもよい。ユーザは、発見サーバのアウトバンドのＩＰアドレスまたはドメイン名システム（ＤＮＳ）分解可能完全修飾ドメイン名（ＦＱＤＮ）を有するように構成されていてもよい。送信された要求に応答して、Ｐ２Ｐ通信セッションに参加するために、スコープされている情報を発見サーバから受信してもよい（ブロック２０４）。（例えば、受信したスコープされている情報に少なくとも一部基づいて）少なくとも１つの終端ＵＥとＰ２Ｐ通信セッションを確立してもよい（ブロック２０６）。
【００４０】
図２Ｂを参照すると、方法２００のさらなる動作または態様が示されている。この方法２００の動作または態様は、オプションであり、Ｐ２Ｐネットワーキングのために、発信ＵＥまたはこれに類するものによって実行されてもよい。方法２００が図２Ｂの少なくとも１つのブロックを含む場合、方法２００は、説明され得る後続するダウンストリームブロックを必ずしも何ら含んでいる必要なく、少なくとも１つのブロックの後に終了してもよい。ブロックの番号は、方法２００にしたがってブロックが実行され得る特定の順序を意味していないことにさらに留意されたい。例えば、送信すること（ブロック２０２）は、発信ＵＥに最も近いと決定された複数のＵＥのサブセットを選択することによって発見をスコープする発見サーバと通信することを含んでいてもよい（ブロック２１０）。受信すること（ブロック２０４）は、位置と、ネットワークトポロジーと、ユーザの役割と、コンテキスト情報とのうちの選択された少なくとも１つに基づいて、ＵＥのスコープされた選択を対象にする情報を受信することを含んでいてもよい（ブロック２１２）。
【００４１】
関連する態様では、方法２００は、担当ノードからサービスを受信する少なくとも１つの終端ＵＥとの通信を確立するように、担当ノードと同じ位置に配置されているパケット配信ネットワークゲートウェイを選択することをさらに含んでいてもよい（ブロック２２０）。代替の実施形態では、方法２００は、別の担当ノードからサービスを受信する少なくとも１つの終端ＵＥとの通信を確立するように、担当ノードから離れているパケットコアに位置付けられているパケット配信ネットワークゲートウェイを選択すること（ブロック２２２）と、少なくとも１つの終端ＵＥとの通信を確立するように、インターネットとパケットコアとを介して通信するホームエージェント（ＨＡ）を（セッションの継続性のためにＤＳＭＩＰｖ６が使用されている場合には）選択すること（ブロック２２４）とをさらに含んでいてもよい。
【００４２】
さらなる関連する態様では、確立すること（ブロック２０６）は、発見サーバから、グループフォーメーション命令を受信すること（ブロック２３０）を含んでいてもよく、これは、無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信すること（ブロック２３２）をさらに含んでいてもよい。さらに、さらなる関連する態様では、方法２００は、例えば、ＲＦ範囲中にＰ２ＰグループのＵＥがもはや存在していない場合、（すなわち、最初にＲＦ範囲内にＰ２ＰグループのＵＥが存在しなかった場合、そしてさらには、パケットコアを介してグループに加わらなかった場合）、パケットコアを介してベアラシグナリングに戻ることによって、Ｐ２Ｐ通信セッションの継続性を維持すること（ブロック２４０）をさらに含んでいてもよい。さらにさらなる関連する態様では、担当ノードに送信すること、および、担当ノードから受信することは、Ｅ−ＵＴＲＡプロトコルまたはこれに類するものにしたがったものである。
【００４３】
図２Ｃを参照すると、ネットワークエンティティまたはこれに類するものによって動作可能なＰ２Ｐネットワーキングのための手順２５０が示されており、このＰ２Ｐネットワーキングは、ＷＷＡＮによって促進されてもよい。エアインターフェースチャネルを通して担当ノードを介して、Ｐ２Ｐサービス発見とグループフォーメーション支援のための要求を発信ユーザ機器から受信してもよい（ブロック２５２）。Ｐ２Ｐサービス発見に適切である複数のＵＥのスコープされているサブセットを、ネットワークエンティティによって決定または識別してもよい（ブロック２５４）。例えば、ＲＦ発見に参加するために（すなわち、スコープされているサブセットのＵＥがＲＦ範囲内に存在しているか否かを決定するために）、ネットワークエンティティは、複数のＵＥのスコープされているサブセットの情報を送信してもよい（ブロック２５６）。
【００４４】
図２Ｄを参照すると、方法２５０のさらなる動作または態様が示されている。この方法２０５のさらなる動作または態様は、オプションであり、Ｐ２Ｐネットワーキングのために、ネットワークエンティティまたはこれに類するものによって実行されてもよい。方法２５０が図２Ｄの少なくとも１つブロックを含む場合、方法２００は、説明され得る後続するダウンストリームブロックを必ずしも何ら含んでいる必要なく、少なくとも１つブロックの後に終了してもよい。ブロックの番号は、方法２８０にしたがってブロックが実行され得る特定の順序を意味していないことにさらに留意されたい。例えば、方法２５０は、スコープされているサービス発見の一部としてそれぞれの情報に応答した複数のＵＥのスコープされているサブセット内でのＰ２Ｐ通信セッションを確立するために、パケットコアを介してベアラシグナリングを促進することをさらに含んでいてもよい。（ブロック２６０）。関連する態様では、決定すること（ブロック２５４）は、位置と、ネットワークトポロジーと、ユーザの役割と、コンテキスト情報とのうちの選択された少なくとも１つに基づいて、Ｐ２Ｐ通信の適切性を決定することを含んでいてもよい（ブロック２６２）。
【００４５】
さらなる関連する態様では、方法２５０は、発信ＵＥと、担当ノードに接続されている少なくとも１つの終端ＵＥとの間のベアラシグナリングを、担当ノードと同じ位置に配置されているパケットデータネットワークゲートを介して促進することをさらに含んでいてもよい（ブロック２６４）。代替の実施形態では、方法２５０は、発信ＵＥと、別のノードに接続されている少なくとも１つの終端ＵＥとの間でのベアラシグナリングを、担当ノードから離れているパケットコアに位置付けられているパケットデータネットワークゲートウェイを介して促進すること（ブロック２６６）と、少なくとも１つの終端ＵＥとの通信を確立するように、インターネットとパケットコアとを介して通信するＨＡの選択を促進すること（ブロック２６８）とをさらに含んでいてもよい。
【００４６】
さらに、さらなる関連する態様では、方法２５０は、Ｐ２Ｐ通信セッションを確立および維持するためのグループフォーメーション命令を送信すること（ブロック２７２）をさらに含んでいてもよい。送信すること（ブロック２７０）は、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することを含んでいてもよい（ブロック２７２）。さらに、さらなる関連する態様では、担当ノードから送信することと、担当ノードにおいて受信することは、Ｅ−ＵＴＲＡプロトコルまたはこれに類するものにしたがったものである。
【００４７】
ネットワークアーキテクチャ：図３を参照すると、ＵＥ３０２、３０４との間でのＬＴＥ Ｐ２Ｐ ダイレクト通信３０１のための、最適化されているＥＰＳネットワークアーキテクチャ３００が示されている。この最適化されているＥＰＳネットワークアーキテクチャ３００では、ＰＤＮＧＷ３０６が、ｅＮＢ３０８と同じ位置に配置されている。アーキテクチャは、インターネット３１２として描写されているコアネットワークとインターフェースするＥＰＣも備えている。１つの態様では、ＵＥ３０２、３０４は、ＩＰバージョン６（ＩＰＶ６）またはこれに類するものを介して、ＬＴＥを使用して通信してもよい。同じセル３０６中に、あるいは、同じｅＮＢ３０８に属している、または、同じｅＮＢ３０８に関連した異なるセル中にグループ中のＬＴＥ Ｐ２Ｐ ＵＥ３０２、３０４が存在するときに、このようなインプリメンテーションが望まれるかもしれない。示されているアーキテクチャ３００では、互いに近接しているＲＦ内にグループ中のＵＥ３０２、３０４が存在しないときには、ＥＰＣ３１０を通してルーティングされるＰ２Ｐトラフィックの量が過剰にならないようにすることが可能であり、結果として、遅延が少なくなる。異なるｅＮＢに属している異なるセル中にＵＥ３０２および３０４が存在している場合でさえも、ｅＮＢ３０８と他のｅＮＢとの間で接続が存在する（すなわち、Ｘ２インターフェースがｅＮＢ間で存在する）場合には、両方のＵＥに対するＰ２Ｐタイプ−１のＥＰＳベアラの確立のために、依然として、ｅＮＢ３０８と同じ位置に配置されているＰＤＮＧＷ３０６を使用できることに留意されたい。関連する態様では、図３中で示されているインプリメンテーションのための、２つのＰＤＮ接続が存在する。さらなる関連する態様では、セッションの継続性のためにＤＳＭＩＰｖ６が使用される場合、ＨＡ３１４が備えられていてもよい。
【００４８】
図４を参照すると、ＵＥ４０２、４０４間でのＬＴＥ Ｐ２Ｐ ダイレクト通信４０１のＬＴＥ Ｐ２Ｐ 通信４０１のための、最適化されていないＥＰＳネットワークアーキテクチャが示されている。この最適化されていないＥＰＳネットワークアーキテクチャでは、ＰＤＮＧＷ４０６は、ｅＮＢ４０８と同じ位置に配置されていない。異なるｅＮＢ（オペレータ間またはオペレータ内）（例えば、セル４０７用のｅＮＢ４０８）に属している異なるセル４０５、４０７中にグループ中のＬＴＥ Ｐ２Ｐ ＵＥ４０２、４０４が存在していて、ｅＮＢ間で接続（すなわち、Ｘ２インターフェース）が存在していないときに、このようなインプリメンテーションが望まれるかもしれない。ここで、Ｐ２Ｐトラフィックは、インターネット４１２として描写されているコアネットワークとインターフェースするＥＰＣ４１０を通してルーティングされてもよく、互いに近接しているＲＦ内にグループ中のＵＥ４０２、４０４は存在していない。ＵＥ４０２、４０４は、同じ位置に配置されているＰＤＮＧＷに対してよりも、より多くの遅延を経験するかもしれない。関連する態様において、図４中で示されているインプリメンテーションでは、１つのＰＤＮ接続が存在する。さらなる関連する態様では、セッションの継続性のためにＤＳＭＩＰｖ６が使用される場合、（ＰＤＮＧＷ４０６と同じ位置に配置されている）ＨＡ４１４が備えられていてもよい。
【００４９】
図５を参照すると、ＵＥ５０２、５０４間でのＬＴＥ Ｐ２Ｐ 通信５０１のための、別の最適化されていないＥＰＳネットワークアーキテクチャ５００が図示されている。この別の最適化されていないＥＰＳネットワークアーキテクチャ５００では、ＰＤＮＧＷ５０６は、ｅＮＢ５０８の外に位置付けられている。異なるｅＮＢ（オペレータ内またはオペレータ間の）（例えば、セル５０７用のｅＮＢ５０８）に属している異なるセル５０６、５０７中のグループ中に、ＬＴＥ Ｐ２Ｐ ＵＥ５０２、５０４が存在していて、ｅＮＢ間で接続（すなわち、Ｘ２インターフェース）が存在しないときに、このようなインプリメンテーションが望まれるかもしれない。互いに近接しているＲＦ内にグループ中のＵＥ５０２、５０４が存在していないときに、Ｐ２Ｐトラフィックは、インターネット５１２として描写されているコアネットワークとインターフェースするＥＰＣ５１０を通してルーティングされてもよい。セッションの継続性のためにＤＳＭＩＰｖ６が使用される場合には、ＥＰＣ５１０の外部にある（ＰＤＮＧＷ５１２と同じ位置に配置されていない）ＨＡ５１４が備えられていてもよい。
【００５０】
ベアラアーキテクチャ：図６を参照すると、最適化されていないアーキテクチャ６０６または最適化されているアーキテクチャ６０８のような、Ｐ２Ｐタイプ−１のＥＰＳベアラを介して通信するとき、第１のＵＥ６０２のようなＬＴＥ Ｐ２Ｐ クライアントと、第２のＵＥ６０４のようなＬＴＥ Ｐ２Ｐ グループオーナーとをサポートするための、ベアラアーキテクチャ６００の例が示されている。前者は、ｅＮＢ６１０と、担当ゲートウェイ６１２とともに、ＰＤＮＧＷ６１４とを備えていてもよく、このＰＤＮＧＷ６１４は、ＨＡ６１６を備えることができる。後者は、ＳＧＷを省いてもよい。最適化されていないアーキテクチャ６０６および最適化されているアーキテクチャ６０８の両方が、第１のＵＥ６０２と第２のＵＥ６０４との間での通信のために、ＩＰＶ６サポートを提供する。
【００５１】
ベアラアーキテクチャ６００は、６１８において描写されているＰ２Ｐタイプ−２のＥＰＳベアラもサポートしてもよく、この６１８では、ＵＥ６０２、６０４が、ユニキャスト６２０（例えば、ＩＰＶ６サポート）またはマルチキャスト６２２（例えば、リンク−ローカルマルチキャスト）を介して情報配信を通信してもよい。関連する態様では、Ｐ２Ｐタイプ−１のＥＰＳベアラは、セッションの継続性のためのものであってもよいのに対して、Ｐ２Ｐタイプ−２のＥＰＳベアラは、互いのＲＦ範囲内にＵＥ６０２、６０４が存在しているときのためのものである。
【００５２】
関連する態様において、図７−図１０中では、プロトコルおよびデータアーキテクチャに関する詳細を示している。図７を参照すると、ＬＴＥ Ｐ２Ｐ クライアントデバイス（すなわち、クライアントＵＥ）アーキテクチャ７００の実施形態が提供されており、ユーザプレーンの態様が描写されている。この実施形態では、クライアントデバイスのＰ２Ｐアプリケーションにおいて、発信元ＩＰアドレスは、ＬＴＥ Ｐ２Ｐ クライアントのホームアドレス（ＨｏＡ）または上位レイヤ識別子（ＵＬＩＤ）であってもよいのに対して、宛先ＩＰアドレスは、ＬＴＥ Ｐ２ＰのグループメンバーのＨｏＡまたはＵＬＩＤであってもよい。セッションの継続性のためにＤＳＭＩＰｖ６が使用される場合にはＨｏＡを使用してもよいことに、および、セッションの継続性のためにＳｈｉｍ６が使用される場合にはＵＬＩＤを使用してもよいことに留意されたい。ＬＴＥアプリケーションでは、発信元ＩＰアドレスは、アタッチ手順またはＵＥにより要求されるＰＤＮ接続性手順の間に割り当てられた、ＵＥのＩＰアドレスであってもよいのに対して、宛先ＩＰアドレスは、ホスト／サーバのＩＰアドレスであってもよい。図９は、ＬＴＥ Ｐ２Ｐ クライアントデバイスアーキテクチャ９００のための、コントロールプレーンの態様を示しており、このＬＴＥ Ｐ２Ｐ クライアントデバイスアーキテクチャ９００は、無線ネットワーク制御装置（ＲＮＣ）とＵＥとの間での、無線リソース制御（ＲＲＣ）および非アクセスストラタム（ＮＡＳ）シグナリングのための、シグナリング無線ベアラ（ＳＲＢ）を備えている。
【００５３】
図８を参照すると、ＬＴＥ Ｐ２Ｐ グループオーナーデバイス（すなわち、グループオーナーＵＥ）のアーキテクチャ８００の実施形態が提供されており、ユーザプレーンの態様が描写されている。この実施形態では、グループオーナーデバイスのＰ２Ｐアプリケーションにおいて、発信元ＩＰアドレスは、ＬＴＥ Ｐ２Ｐ グループオーナーのＨｏＡまたはＵＬＩＤであってもよいのに対して、宛先ＩＰアドレスは、ＬＴＥ Ｐ２Ｐ グループメンバーのＨｏＡまたはＵＬＩＤであってもよい。セッションの継続性のためにＤＳＭＩＰｖ６が使用される場合にはＨｏＡを使用してもよく、セッションの継続性のためにＳｈｉｍ６が使用される場合にはＵＬＩＤを使用してもよい。ＬＴＥアプリケーションでは、発信元ＩＰアドレスは、アタッチ手順またはＵＥにより要求されるＰＤＮ接続性手順の間に割り当てられた、ＵＥのＩＰアドレスであってもよいのに対して、宛先ＩＰアドレスは、ホスト／サーバのＩＰアドレスであってもよい。図１０は、ＬＴＥ Ｐ２Ｐ グループオーナーデバイスアーキテクチャ１０００の実施形態のための、コントロールプレーンの態様を示している。
【００５４】
サービス発見：ここで記述した技術は、リンクローカルマルチキャストサービス発見に加えて、“スコープされる”ワイドエリアインターネットユニキャストサービス発見および登録を提供することによる、ＬＴＥ Ｐ２Ｐ サービス発見を取り扱う。手動および自動選択のオプションが提供されてもよい。適切な発見スコープは、クライアント上での不必要な計算、サービス、およびディレクトリを、最小にする、または、回避する。発見のスコープは、位置、ネットワークトポロジー、ユーザの役割、コンテキスト情報、または、サービス発見セッションのターゲットを適切に規定するのを助けるためのこのような情報を組み合わせたものに基づいていてもよい。発見スコープは、サービスの整合数を限定するが、発見結果は、依然として、整合したサービスのリストを含んでいるかもしれない。さらに、サービス発見プロトコルは、アクティブ化されているＰ２Ｐアプリケーションのタイプに基づいて、手動または自動選択のオプションを可能にしてもよい。
【００５５】
関連する態様では、サービス登録情報は、スコープ；ＵＥ ＦＱＤＮ（またはＩＰアドレス）；ＵＥの近接さ検出信号（ＰＤＳ）（例えば、ＰＨＹ／媒体アクセス制御（ＭＡＣ）プロトコルレイヤを利用している“ロングピアＩＤ”）；サポートされているＰ２ＰのＲＡＴおよびＲＡＴプリファランスのリスト（例えば、ＬＴＥ Ｐ２Ｐ 、ＷｉＦｉＤｉｒｅｃｔ、ブルートゥース等）；サポートされているサービスタイプおよび属性のリスト；等を含むことができる。
【００５６】
図１１を参照すると、ＬＴＥ Ｐ２Ｐ サービス発見手順の例が提供されている。ブロック１１００では、ＵＥ１１０２−１１０４が、（例えば、発見サーバ上に、または、これに類するものの上に記憶されている）それらの“スコープされた”Ｐ２Ｐサービスおよび属性を登録または更新してもよい。図１２を参照すると、後続ブロック１２００において、所定のＵＥ１１０３が、そのＰ２Ｐアプリケーション（例えば、“ＭｙＰ２Ｐａｐｐ”）に対する“スコープされた”Ｐ２Ｐサービスおよび属性を要求してもよく、結果は、所定のＵＥ１１０３に戻されてもよい。発見サーバは、オペレータＥＰＣ内に位置していてもよいし、または、オペレータＥＰＣの外部にあってもよい。この発見サーバでは、後のインプリメンテーションにより、オペレータから独立しているＬＴＥ Ｐ２Ｐ アプリケーションを独立アプリケーションベンダーが開発および実施することが可能になる。
【００５７】
グループフォーメーション：ここで記述した技術は、ＵＥ間でメッセージを運ぶための、ＲＦの近接さのアプリケーションおよびプロトコルによる、ＬＴＥ Ｐ２Ｐ グループフォーメーションを取り扱う。プロトコルは、ネットワーク独立（例えば、ＲＥＳＴベース）またはネットワーク依存（例えば、ＬＴＥ ＲＲＣシグナリングベース）のいずれかであってもよい。ＬＴＥ Ｐ２Ｐ グループフォーメーションは、ＲＦの近接さの発見のための自動トリガ；隣接しているＰ２Ｐグループ間でのリソース調整；Ｐ２Ｐグループ確立；既存のＰ２Ｐグループへの／からの、新しいメンバーの追加／削除等を提供してもよい。
【００５８】
グループフォーメーション情報は、一般的に、取られているアクションのタイプに依存しており、発信ＵＥが、ＰＤＳを送信またはリスンすべきか否かを含んでいてもよい。関連する態様では、所定のＵＥが、グループオーナーになりたいというその望み（すなわち、グループオーナーの意図）を通信してもよい。例えば、グループオーナーの意図は、４ビットフィールドによって表現されてもよく、ここで‘１１１１’＝グループオーナーになりたいという最も強い望みであり、‘００００’＝グループオーナーになりという最も弱い望みである。同順の場合には、グループオーナーとして、発信ＵＥが選ばれてもよい。さらなる関連する態様では、グループフォーメーション情報は、Ｐ２Ｐタイプ−１のＥＰＳベアラに対するＵＥのＩＰアドレスを、（ＤＳＭＩＰｖ６が使用される場合には）ＨｏＡを、（Ｓｈｉｍ６が使用される場合には）ＵＬＩＤを含んでいてもよいとともに、付加的なグループフォーメーション情報を含んでいてもよい。
【００５９】
例えば、図１３では、ＲＦの近接さの発見をトリガするためのＬＴＥ Ｐ２Ｐ グループフォーメーション手順が、ブロック１３００中で描写されている。サービス発見を実行した後、（下に示されている）第１のユーザが、（上に示されている）第２のユーザがそのＰＤＳを送信するようにＥＰＳベアラを介して要求する。図１４中では、ブロック１４００は、第２のユーザが、Ｐ２Ｐタイプ−１のＥＰＳベアラを介して、そのＰＤＳを第１のユーザに送信することを描写している。
【００６０】
ＬＴＥ Ｐ２Ｐ グループフォーメーションのメカニズムは、オペレータ間のＬＴＥ Ｐ２Ｐ：ＳＯＡＰ ｏｖｅｒ ＨＴＴＰ（デバイス制御のためにＵＰｎＰがＳＯＡＰ ｏｖｅｒＨＴＴＰを使用することに留意されたい）；ＲＥＳＴベース；既存の、任意／プロプラエタリＩＰの修正（例えば、ゲーミングアプリケーション）；または、特に、この目的のための新しいＩＰの開発を、サポートしつつ、ネットワーク独立とすることができる。
【００６１】
ネットワーク独立ソリューションでは、独立アプリケーションベンダーが、オペレータから独立している、それら自体のグループフォーメーションプロトコルを開発および実施できる。代替的に、ＬＴＥ Ｐ２Ｐ グループフォーメーションのメカニズムは、（３ＧＰＰ ＴＳ３６．３３１中で特定されているような）ＲＲＣの使用を含む、ネットワーク依存および／またはＲＡＴ依存とすることができるが、これは、オペレータ間のＬＴＥ Ｐ２Ｐ に対するサポートを提供するための課題を課すことがある。
【００６２】
セッションの継続性：本発明は、Ｐ２Ｐアプリケーション間での透明性と、基礎となるリンクレイヤ接続のステータスとを維持することによって、ＬＴＥ Ｐ２Ｐ セッションの継続性をさらに取り扱う。図１５を参照すると、ＬＴＥ Ｐ２Ｐ ネットワーク１５００では、互いに近接しているＲＦ内にＬＴＥ Ｐ２Ｐ クライアント１５０２およびグループオーナー１５０４が存在するときには、それら両方とも、Ｐ２Ｐタイプ−１のＥＰＳベアラネットワーク１５０８をというよりむしろ、Ｐ２Ｐタイプ−２のＥＰＳベアラネットワーク１５０６を使用する。図１６を参照すると、１６００において描写されているＬＴＥ Ｐ２Ｐ ネットワークの後続する状態では、ＬＴＥ Ｐ２Ｐ リンク−レイヤの接続性が断たれることがある。互いに近接しているＲＦ内にＬＴＥ Ｐ２Ｐ クライアント１５０２およびグループオーナー１５０４が存在していないときには、それら両方とも、示されているようにＰ２Ｐタイプ−１のＥＰＳベアラネットワーク１５０８を使用してもよく、それにより、セッションの継続性を維持することができる。
【００６３】
関連する態様では、例示的なＬＴＥ Ｐ２Ｐ セッションの継続性メカニズムは、ＤＳＭＩＰｖ６プロトコルまたはＳｈｉｍ６プロトコルを含んでいてもよい。図１７では、Ｐ２Ｐダイレクト通信接続の無線リンク障害（ＲＬＦ）のための、ＤＳＭＩＰｖ６のハイレベルなコールフロー１７００を描写している。図１８では、Ｐ２Ｐダイレクト通信接続のＲＬＦのための、Ｓｈｉｍ６のハイレベルなコールフロー１８００を示している。例えば、Ｐ２Ｐダイレクト通信接続のＲＬＦの間の順番の配信は、ＷｉＦｉダイレクトおよびブルートゥースのような、すべてのタイプのＰ２Ｐ ＲＡＴでは達成することが難しいことがある。ＬＴＥ Ｐ２Ｐ では、各Ｐ２Ｐタイプ−１およびタイプ−２のＥＰＳベアラに個々に割り当てられている別個のＰＤＣＰシーケンス番号に加えて、Ｐ２Ｐタイプ−１およびタイプ−２のＥＰＳベアラの両方にマッピングされる新しいパケットデータコンバージェンスプロトコル（ＰＤＣＰ）シーケンス番号を使用することによって達成できることがある。図１９を参照すると、３ＧＰＰリリース８のＰＤＣＰレイヤのブロック図１９００が提供されており、ＥＰＳベアラのためのユーザプレーンが示されている。図２０を参照すると、例示的なＬＴＥ Ｐ２Ｐ ＰＤＣＰレイヤのブロック図２０００が示されており、Ｐ２Ｐ−タイプ１および２のＥＰＳベアラのためのユーザプレーンが示されている。
【００６４】
図２１を参照すると、ヘッダフォーマットのための、３ＧＰＰリリース８の汎用パケット無線システム（ＧＰＲＳ）トンネリングプロトコルユーザプレーン（ＧＴＰｖ１−Ｕ）データ構成２１００が描写されている。図２２中では、番号の拡張ヘッダのための、ＰＤＣＰパケットデータユニット（ＰＤＵ）データ構成２２００が描写されている。１つの実施形態では、必須のフィールドは、：バージョンと；プロトコルタイプ（ＰＴ）と；拡張ヘッダフラグ（Ｅ）と；シーケンス番号フラグと；Ｎ−ＰＤＵ番号フラグ（ＰＮ）と；長さと；トンネルエンドポイント識別子（ＴＥＩＤ）とを含んでいてもよい。オプション的なフィールドは、：シーケンス番号と；Ｎ−ＰＤＵ番号と；次の拡張ヘッダタイプ（例えば、‘１１００ ００００’＝ＰＤＣＰ ＰＤＵ番号の拡張ヘッダ）とを含んでいてもよい。
【００６５】
次の拡張ヘッダタイプ（‘１１００ ０００’＝ＰＤＣＰ ＰＤＵ番号の拡張ヘッダ）が、ｅＮＢとＰＤＮＧＷとの間で使用されてもよく、順番の配信をサポートできるように、Ｐ２Ｐタイプ−１およびタイプ−２のＥＰＳベアラの両方にマッピングされる新しいＰＤＣＰシーケンス番号を運んでもよい。例えば、担当ｅＮＢが、Ｐ２Ｐタイプ−１のＥＰＳベアラを介して発信ＵＥからパケットを受信し、そのＰ２Ｐタイプ−１のＥＰＳベアラに対する別個の３ＧＰＰリリース８のＰＤＣＰシーケンス番号を使用して、そのパケットをデコードするだろう。ｅＮＢは、その後、新しいＰＤＣＰシーケンス番号を含む（先にしたがった）ヘッダを有するＧＴＰ−Ｕパケット中で、そのパケットをＰＤＮＧＷに送るだろう。この新しいＰＤＣＰシーケンス番号は、発信ＵＥのＰ２Ｐタイプ−１およびタイプ−２のＥＰＳベアラの両方にマッピングされる。終端ＵＥに対する担当ｅＮＢが、このＧＴＰ−Ｕヘッダを受信したとき、新しいＰＤＣＰシーケンス番号を再利用してもよい。この新しいＰＤＣＰシーケンス番号は、担当ｅＮＢがパケットを終端ＵＥに送るときに、発信ＵＥのＰ２Ｐタイプ−１およびタイプ−２の両方のＥＰＳベアラにマッピングされる。しかしながら、終端ＵＥに対する担当ｅＮＢは、終端ＵＥのＰ２Ｐタイプ−１のＥＰＳベアラに対する別個の３ＧＰＰリリース８のＰＤＣＰシーケンス番号により、終端ＵＥへのパケットもエンコードしてもよい。
【００６６】
終端間コールフローに関しては、２つのＵＥ間のＬＴＥ Ｐ２Ｐの初期ベアラのセットアップは、シチュエーションの範囲を包含できる。関連する態様では、Ｐ２Ｐグループの初期ステータスは、以下：ＵＥがグループに属していない；終端ＵＥがグループに属していない；発信ＵＥがグループに属していない；または両方のＵＥがグループに属していない、のうちの１つとすることができる。さらなる関連する態様では、ＵＥの機能性は、両方のＵＥがＬＴＥおよびＬＴＥ Ｐ２Ｐの同時動作をサポートする；１つのＵＥが、ＬＴＥの動作でなく、ＬＴＥ Ｐ２Ｐの動作をサポートする；両方のＵＥが、ＬＴＥ動作でなく、ＬＴＥ Ｐ２Ｐの動作のみサポートする、を含んでいてもよい。さらに、さらなる関連する態様では、ｅＮＢに関しては、同じｅＮＢ中にＵＥは存在していてもよいし、または、異なるｅＮＢ中にＵＥは存在していてもよい。さらに、さらなる関連する態様では、両方のＵＥとも、同じモビリティ管理エンティティ（ＭＭＥ）に登録されてもよいし、または、ＵＥは、異なるＭＭＥに登録されてもよい。さらなる関連する態様では、公衆陸上移動体ネットワーク（ＰＬＭＮ）に関しては、同じＰＬＭＮ中にＵＥは存在していてもよいし、または、異なるＰＬＭＮ中にＵＥは存在していてもよい。さらに、さらなる関連する態様では、終端ＵＥの選択に関しては、これは、ユーザによる手動選択によって、または、自動選択（例えば、ＲＦの近接さベース）によって実行されてもよい。
【００６７】
図２３中では、ＥＰＣ２３１０とのＬＴＥ Ｐ２Ｐのための最適化されたＥＰＳネットワークアーキテクチャ２３００を用いて、同じｅＮＢ２３０８中のＵＥ２３０２、２３０４に対するシナリオが描写されており、ＰＤＮＧＷ２３０６が、ｅＮＢ２３０８と同じ位置に配置されている。ＥＰＣ２３１０の外にあるＰＤＮＧＷ２３１２、インターネット２３１４も図示している。必要である場合には、ＰＤＮＧＷ２３０６中にＨＡ２３１６を備えることができる。また、Ｐ２Ｐタイプ−２ベアラおよびＰ２Ｐタイプ−１のベアラの両方とも示されている。これらのＰ２Ｐタイプ−２のベアラおよびＰ２Ｐタイプ−１のベアラは、互いに近接しているＲＦ中に存在しないときでさえも、ＵＥ２３０２、２３０４のセッションの継続性を共に可能にする。図２４中では、ＬＴＥ Ｐ２Ｐのための、オペレータ間での、最適化されていないＥＰＳアーキテクチャ２４００に対するシナリオを描写している。
【００６８】
ＬＴＥ Ｐ２Ｐのベアラのセットアップは、すべてのケース（同じｅＮＢ中の、オペレータ間、ＵＥ）に対して機能し、ＲＥＳＴ−ベースシグナリング（すなわち、ＨＴＴＰシグナリング）を通してＩＰレイヤにおいて調整する設計のための基準を用いることができる。代替的に、ＳＩＰシグナリングが使用されてもよい。代替的に、より単純なケースは、同じｅＮＢ中のＵＥに対する、（３ＧＰＰ ＴＳ ３６．３３１中で規定されている）ＲＲＣシグナリングを通しての調整を使用して最適化することができる。
【００６９】
図２５中では、ＬＴＥ Ｐ２Ｐのベアラのセットアップのための例示的な終端間のコールフローシナリオ２５００が示されており、このシナリオでは、Ｐ２Ｐグループステータスは、Ｐ２Ｐダイレクト通信確立の時間において、グループにＵＰが属していないことである。ＵＥ機能性に関しては、両方のＵＥが、ＬＴＥおよびＬＴＥ Ｐ２Ｐの同時動作をサポートする。終端ＵＥの選択は、ＲＦの近接さベースであってもよい。ＰＤＮＧＷにおけるＨＡにより、ＤＳＭＩＰｖ６プロトコルを実現できる。
【００７０】
本開示の利益は、ＭＭＥ−１およびＭＭＥ−２、ＳＧＷ−１およびＳＧＷ−２、ＰＤＮＧＷ−１およびＰＤＮＧＷ−２は、コールフローを必ずしも変えることなく同じであってもよいことであることを正しく認識すべきである。付加的に、Ｐ２Ｐタイプ−２のＥＰＳベアラの確立は、ＰＨＹ／ＭＡＣ設計を使用して調整されてもよい。さらに、シナリオ２５００のフローのステップ−２では、明確にするために、リソースの予め確立されているセットは、すべてのｅＮＢに共通なＬＴＥ Ｐ２Ｐのオペレータに対して予約されていると仮定されている。そうでない場合には、周波数帯域等についての付加的な情報が、シグナリングされてもよい。
【００７１】
図２６を参照すると、１つの態様にしたがった、多元接続ワイヤレス通信システムが図示されている。アクセスポイント（ＡＰ）２６００は、複数のアンテナグループを含み、１つは２６０４および２６０６を、他は２６０８および２６１０を、さらには２６１２および２６１４を含む。図２６では、各アンテナグループに対してアンテナを２本しか示してないが、各アンテナグループに対して、より多くのアンテナ、または、より少ないアンテナを利用してもよい。ＵＥすなわちアクセス端末（ＡＴ）２６１６は、アンテナ２６１２および２６１４と通信しており、ここで、アンテナ２６１２および２６１４は、フォワードリンク２６２０を通してＡＴ２６１６に情報を送信し、リバースリンク２６１８を通してＡＴ２６１６から情報を受信する。ＡＴ２６２２は、アンテナ２６０６および２６０８と通信しており、ここで、アンテナ２６０６および２６０８は、フォワードリンク２６２６を通してＡＴ２６２２に情報を送信し、リバースリンク２６２４を通してＡＴ２６２２から情報を受信する。ＦＤＤシステムでは、通信リンク２６１８、２６２０、２６２４、および２６２６は、通信のために、異なる周波数を使用してもよい。例えば、フォワードリンク２６２０は、その後リバースリンク２６１８により使用される異なる周波数を使用してもよい。
【００７２】
通信するように設計されている、アンテナおよび／またはエリアの各グループは、ＡＰ２６００のセクタと呼ばれることが多い。態様では、アンテナグループは、それぞれ、ＡＰ２６００によりカバーされているエリアのうちのセクタ中の、ＡＴ２６１６および２６２２と通信するように設計されている。
【００７３】
フォワードリンク２６２０および２６２６による通信では、異なるＡＴ２６１６および２６２２に対するフォワードリンクの信号対ノイズ比を改善させるために、ＡＰ２６００の送信アンテナは、ビームフォーミングを利用する。また、そのカバレージエリア中でランダムに散在されているＡＴに送信するためにビームフォーミングを使用しているＡＰは、隣接しているセル中のＡＴに対して、そのＡＴのすべてに単一のアンテナを通して送信するＡＰよりも低い干渉を生じさせる。
【００７４】
ＡＰ２６００は、端末と通信するために使用される固定局であってもよく、ＡＰ、ノードＢ、または他の何らかの専門用語で呼ばれることもある。
【００７５】
ＭＩＭＯシステムは、データ送信のために、複数（ＮT本）の送信アンテナおよび複数（ＮR本）の受信アンテナを用いる。ＮT本の送信アンテナおよびＮR本の受信アンテナによって形成されるＭＩＭＯチャネルは、ＮS個の独立チャネルに分解されてもよく、これを空間チャネルとも呼び、ここでは、ＮS≦ｍｉｎ｛ＮT、ＮR｝である。ＮS個の独立チャネルのそれぞれは、次元に対応する。複数の送信および受信アンテナによって生成されるさらなる次元が利用される場合、ＭＩＭＯシステムは、改善した性能（例えば、より高いスループットおよび／またはより高い信頼性）を提供してもよい。
【００７６】
ＭＩＭＯシステムは、ＴＤＤおよびＦＤＤをサポートしてもよい。ＴＤＤシステムでは、相互関係の原理によって、リーバスリンクチャネルからのフォワードリンクチャネルの推定が可能になるように、フォワードおよびリバースリンク送信は同じ周波数領域上でなされる。これによって、複数のアンテナがＡＰにおいて利用可能であるときに、ＡＰは、フォワードリンク上での送信ビームフォーミング利得を抽出することが可能になる。
【００７７】
ここでの教示は、少なくとも１つの他のノードと通信するために、様々なコンポーネントを用いてノード（例えば、デバイス）に組み込んでもよい。図２７は、ノード間の通信を促進するために用いてもよい、いくつかの、コンポーネントのサンプルを描写している。特に、図２７は、ＭＩＭＯシステム２７００の、ワイヤレスデバイス２７１０（例えば、ＡＰ）とワイヤレスデバイス２７５０（例えば、ＵＥすなわちＡＴ）とを図示している。デバイス２７１０において、多数のデータストリームに対するトラフィックデータが、データソース２７１２から送信（“ＴＸ”）データプロセッサ２７１４に提供される。
【００７８】
いくつかの態様では、各データストリームは、それぞれの送信アンテナを通して送信される。ＴＸデータプロセッサ２７１４は、そのデータストリームに対して選択された特定のコーディングスキームに基づいて、各データストリームに対するトラフィックデータをフォーマット化し、コード化し、インターリーブして、コード化されたデータを提供する。
【００７９】
各データストリームに対するコード化されたデータは、ＯＦＤＭ技術を使用して、パイロットデータにより多重化されてもよい。パイロットデータは、一般的に、既知の方法で処理され、チャネル応答を推定するために受信機システムにおいて使用されることもある、既知のデータパターンである。その後、各データストリームに対する、多重化されたパイロットおよびコード化されたデータは、そのデータストリームに対して選択された特定の変調スキーム（例えば、ＢＰＳＫ、ＱＳＰＫ、Ｍ−ＰＳＫ、またはＭ−ＱＡＭ）に基づいて変調（すなわち、シンボルマッピング）され、変調シンボルが提供される。各データストリームに対する、データレート、コード化、および変調は、プロセッサ２７３０によって実行される命令によって決定されてもよい。データメモリ２７３２は、デバイス２７１０の、プロセッサ２７３０または他のコンポーネントによって使用される、プログラムコード、データ、および他の情報を記憶してもよい。
【００８０】
すべてのデータストリームに対する変調シンボルが、その後、ＴＸ ＭＩＭＯプロセッサ２７２０に提供され、ＴＸ ＭＩＭＯプロセッサ２７２０が、（例えば、ＯＦＤＭ等のために）変調シンボルをさらに処理してもよい。ＴＸ ＭＩＭＯプロセッサ２７２０は、その後、ＮT個の変調シンボルストリームを、それぞれが送信機（ＴＭＴＲ）および受信機（ＲＣＶＲ）を持つ、ＮT個のトランシーバ（“ＸＣＶＲ”）２７２２ａないし２７２２ｔに提供する。いくつかの実施形態では、ＴＸ ＭＩＭＯプロセッサ２７２０は、データストリームのシンボルに、および、シンボルが送信されているアンテナに、ビームフォーミング重みを適用する。
【００８１】
各トランシーバ２７２２ａ−２７２２ｔは、それぞれのシンボルストリームを受け取り、処理して、１つ以上のアナログ信号を提供し、アナログ信号をさらに調整（例えば、増幅、フィルタリング、アップコンバート）し、ＭＩＭＯチャネルを通した送信に適した変調信号を提供する。トランシーバ２７２２ａないし２７２２ｔからのＮT個の変調信号が、その後、それぞれ、ＮT本のアンテナ２７２４ａないし２７２４ｔから送信される。
【００８２】
デバイス２７５０において、変調され送信された信号が、ＮR本のアンテナ２７５２ａないし２７５２ｒによって受信され、各２７５２ａないし２７５２ｒからの受信信号が、それぞれのトランシーバ（“ＸＣＶＲ”）２７５４ａないし２７５４ｒに提供される。各トランシーバ２７５４ａないし２７５４ｒは、それぞれの受信信号を調整（例えば、フィルタリング、増幅、およびダウンコンバート）し、調整した信号をデジタル化して、サンプルを提供し、そのサンプルをさらに処理して、対応する“受信”シンボルストリームを提供する。
【００８３】
受信（“ＲＸ”）データプロセッサ２７６０は、その後、特定の受信機処理技術に基づいて、ＮR個のトランシーバ２７５４ａ−２７５４ｒからのＮR個の受信したシンボルストリームを受け取って処理し、ＮT個の“検出した”シンボルストリームを提供する。ＲＸデータプロセッサ２７６０は、その後、各検出したシンボルストリームを復調し、デインターリーブし、デコードして、データストリームに対するトラフィックデータを復元させる。ＲＸデータプロセッサ２７６０による処理は、送信機システム２７１０における、ＴＸ ＭＩＭＯプロセッサ２７２０およびＴＸデータプロセッサ２７１４によって実行される処理に対して相補的である。
【００８４】
プロセッサ２７７０は、周期的に、どのプリコーディングマトリックスを使用するかを決定する。プロセッサ２７７０は、マトリックスインデックス部分とランク値部分とを含む、リバースリンクメッセージを公式化する。データメモリ２７７２は、デバイス２７５０の、プロセッサ２７７０または他のコンポーネントによって使用される、プログラムコード、データ、および他の情報を記憶してもよい。
【００８５】
リバースリンクメッセージは、通信リンクおよび／または受信データストリームに関する様々なタイプの情報を含んでいてもよい。リバースリンクメッセージは、その後、ＴＸデータプロセッサ２７３８によって処理される。ＴＸデータプロセッサ２７３８はまた、多数のデータストリームに対するトラフィックデータをデータソース２７３６から受け取り、これは、変調器２７８０によって変調され、トランシーバ２７５４ａないし２７５４ｒによって調整され、デバイス２７１０に返信される。
【００８６】
デバイス２７１０において、受信機システム２７５０により送信されたリバースリンクメッセージを抽出するために、デバイス２７５０からの変調信号は、アンテナ２７２４ａ−２７２４ｔによって受信され、トランシーバ２７２２ａ−２７２２ｔによって調整され、復調器（“ＤＥＭＯＤ”）２７４０によって復調され、ＲＸデータプロセッサ２７４２によって処理される。プロセッサ２７３０は、ビームフォーミング重みを決定するために、どのプリコーディング行列を使用するかを決定して、その後、その抽出したメッセージを処理する。
【００８７】
図２７は、通信コンポーネントが、干渉制御動作を実行する１つ以上のコンポーネントを備えていてもよいことも図示している。例えば、干渉（“ＩＮＴＥＲ．”）制御コンポーネント２７９０は、別のデバイス（例えば、デバイス２７５０）に／から信号を送信／受信するために、デバイス２７１０の、プロセッサ２７３０および／または他のコンポーネントと協働してもよい。同様に、干渉制御コンポーネント２７９２は、別のデバイス（例えば、デバイス２７１０）に／から信号を送信／受信するために、デバイス２７５０の、プロセッサ２７７０および／または他のコンポーネントと協働してもよい。各デバイス２７１０および２７５０に対して、単一のコンポーネントによって、記述したコンポーネントのうちの２つ以上の機能が提供されてもよいことを正しく認識すべきである。例えば、単一の処理コンポーネントは、干渉制御コンポーネント２７９０およびプロセッサ２７３０の機能を提供してもよく、単一の処理コンポーネントは、干渉制御コンポーネント２７９２およびプロセッサ２７７０の機能を提供してもよい。
【００８８】
図２８を参照すると、ＷＷＡＮによって促進されるＰ２Ｐネットワーキングのためのシステム２８００が図示されている。例えば、システム２８００は、ＵＥにおいて少なくとも部分的に存在できる。システム２８００が機能ブロックを備えるとして表されることは正しく認識すべきである。機能ブロックは、コンピューティングプラットフォーム、プロセッサ、ソフトウェア、またはこれらの組み合わせ（例えば、ファームウェア）によって実現される機能を表す機能ブロックとすることができる。システム２８００は、連動して動作できる、電気コンポーネントの論理グルーピング２８０２を備えていてもよい。
【００８９】
例えば、論理グルーピング２８０２は、エアインターフェースチャネルを通して担当ノードを介して、Ｐ２Ｐサービス発見およびグループフォーメーション支援のための要求を発信ＵＥから発見サーバに送信するための電気コンポーネント（ブロック２８０４）を備えることができる。論理グルーピング２８０２は、Ｐ２Ｐ通信セッションに参加するために、スコープされている情報を発見サーバから受信するための電気コンポーネント（ブロック２８０６）を備えることができる。論理グルーピング２８０２は、受信したスコープされている情報に少なくとも一部基づいて、少なくとも１つの終端ＵＥとのＰ２Ｐ通信セッションを確立するための電気コンポーネント（ブロック２８０８）を備えることができる。付加的に、システム２８００は、電気コンポーネント２８０４−２８０８に関連した機能を実行するための命令を保持するメモリ２８２０を備えることができる。メモリ２８２０の外部にあると示されているが、電気コンポーネント２８０４−２８０８のうちの１つ以上は、メモリ２８２０内に存在することがあることを理解すべきである。
【００９０】
図２９を参照すると、ＷＷＡＮによって促進されるＰ２Ｐネットワーキングのためのシステム２９００が図示されている。例えば、システム２９００は、ネットワークエンティティ（例えば、ｅＮＢ）内で少なくとも部分的に存在できる。システム２９００が機能ブロックを備えるとして表されることは正しく認識すべきである。機能ブロックは、コンピューティングプラットフォーム、プロセッサ、ソフトウェア、またはこれらの組み合わせ（例えば、ファームウェア）によって実現される機能を表す機能ブロックとすることができる。システム２９００は、併用して機能できる、電気コンポーネントの論理グルーピング２９０２を備えていてもよい。
【００９１】
例えば、論理グルーピング２９０２は、エアインターフェースチャネルを通して担当ノードを介して、Ｐ２Ｐサービス発見およびグループフォーメーション支援のための要求を発信ＵＥから受信するための電気コンポーネント（ブロック２９０４）を備えることができる。論理グルーピング２９０２は、Ｐ２Ｐサービス発見に適切である複数のＵＥのスコープされているサブセットを決定するための電気コンポーネント（ブロック２９０６）を備えることができる。さらには、論理グルーピング２９０２は、複数のＵＥのスコープされているサブセットの情報を送信するための電気コンポーネント（ブロック２９０８）を備えることができる。付加的に、システム２９００は、電気コンポーネント２９０４−２９０８に関連した機能を実行するための命令を保持するメモリ２９２０を備えることができる。メモリ２９２０の外部にあると示されているが、電気コンポーネント２９０４−２９０８のうちの１つ以上は、メモリ２９２０内に存在することがあることを理解すべきである。
【００９２】
様々な異なるテクノロジーおよび技術のうちの任意のものを使用して、情報および信号を表してもよいことを、当業者は理解するだろう。上記の詳細な説明全体を通して参照した、例えば、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表されてもよい。
【００９３】
ここでの開示に関連して記述した、様々な例示的な論理ブロック、モジュール、回路、およびアルゴリズムステップは、電子ハードウェア、コンピュータソフトウェア、あるいは双方を組み合わせたものとして実現してもよいことを、当業者はさらに正しく認識するだろう。ハードウェアおよびソフトウェアのこの互換性を明確に図示するために、様々な例示的なコンポーネント、ブロック、モジュール、回路、およびステップを、これらの機能性の観点に関して上記で概して記述している。このような機能性が、ハードウェアまたはソフトウェアとして実現されるか否かは、システム全体に課せられている、特定のアプリケーションおよび設計制約に依存する。熟練者は、各特定のアプリケーションの方法を変えて、記述した機能性を実現するかもしれないが、このようなインプリメンテーションの決定は、本開示の範囲から逸脱が生じるとして解釈されるべきでない。
【００９４】
ここでの開示に関連して記述した、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替の実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【００９５】
ここでの開示に関連して記述した、方法またはアルゴリズムのステップは、ハードウェアで、プロセッサによって実行されるソフトウェアモジュールで、または、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替の実施形態では、記憶媒体はプロセッサと一体化させてもよい。プロセッサおよび記憶媒体は、ＡＳＩＣ中に存在していてもよい。ＡＳＩＣは、ユーザ端末中に存在していてもよい。代替の実施形態では、プロセッサおよび記憶媒体は、ユーザ端末中にディスクリートコンポーネントとして存在していてもよい。
【００９６】
１つ以上の例示的な設計では、記述した機能は、ハードウェア、ソフトウェア、ファームウェア、またはこれらの任意の組み合わせで実現してもよい。ソフトウェアで実現された場合、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特殊目的コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含むことができるが、これらに限定されない。また、あらゆる接続は、コンピュータ読み取り可能媒体と適切に呼ばれている。例えば、ソフトウェアが、ウェブサイトから、サーバから、あるいは、同軸ケーブル、ファイバ光ケーブル、撚り対、デジタル加入者線（ＤＳＬ）、または一時的でないワイヤレス技術を使用している他の遠隔ソースから送信された場合、同軸ケーブル、ファイバ光ケーブル、撚り対、ＤＳＬ、または一時的でないワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【００９７】
本開示の先の説明は、当業者が、本開示を製作、または、使用できるように提供されている。本開示に対する様々な修正は、当業者に容易に明らかになるであろう。また、ここで規定されている一般的な原理は、本開示の精神または範囲から逸脱することなく、他の変形に適用されてもよい。したがって、本開示は、ここに記述した、例および設計に限定されることを意図しているものではないが、ここで開示した、原理および新規な特徴と矛盾しない最も広範囲に一致させるべきである。
以下に、本願出願の当初の特許請求の範囲に記載された発明を付記する。
［１］ワイヤレスワイドエリアネットワークによって促進される、発信ユーザ機器（ＵＥ）によって動作可能なピアツーピア（Ｐ２Ｐ）ネットワーキングのための方法において、
エアインターフェースチャネルを通して担当ノードを介して、Ｐ２Ｐサービス発見およびグループフォーメーション支援のための要求を発見サーバに送信することと、
Ｐ２Ｐ通信セッションに参加するために、スコープされている情報を前記発見サーバから受信することと、
前記受信したスコープされている情報に少なくとも一部基づいて、前記Ｐ２Ｐ通信セッションを少なくとも１つの終端ＵＥと確立することと、
を含む方法。
［２］前記Ｐ２Ｐサービス発見およびグループフォーメーション支援のための要求を送信することは、前記発信ＵＥに最も近いと決定された複数のＵＥのサブセットを選択することによって発見をスコープする前記発見サーバと通信することをさらに含む、［１］記載の方法。
［３］前記スコープされた情報を受信することは、位置と、ネットワークトポロジーと、ユーザの役割と、コンテキスト情報とのうちの選択された少なくとも１つに基づいて、ＵＥのスコープされている選択を対象にする情報を受信することをさらに含む、［２］記載の方法。
［４］前記担当ノードからサービスを受信する前記少なくとも１つの終端ＵＥとの通信を確立するように、前記担当ノードと同じ位置に配置されているパケット配信ネットワークゲートウェイを選択することをさらに含む、［１］記載の方法。
［５］別の担当ノードからサービスを受信する前記少なくとも１つの終端ＵＥとの通信を確立するように、前記担当ノードから離れているパケットコアに位置付けられているパケット配信ネットワークゲートウェイを選択することをさらに含む、［１］記載の方法。
［６］前記少なくとも１つの終端ＵＥとの通信を確立するように、インターネットと前記パケットコアとを介して通信するホームエージェントを選択することをさらに含む、［５］記載の方法。
［７］前記Ｐ２Ｐ通信セッションを確立することは、前記発見サーバから、グループフォーメーション命令を受信することをさらに含む、［１］記載の方法。
［８］前記グループフォーメーション命令を受信することは、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信することをさらに含む、［７］記載の方法。
［９］前記パケットコアを介してベアラシグナリングに戻ることによって、Ｐ２Ｐ通信セッションの継続性を維持することをさらに含む、［１］記載の方法。
［１０］前記担当ノードに送信すること、および、前記担当ノードから受信することは、進化したユニバーサル移動体電気通信システム地上無線アクセス（Ｅ−ＵＴＲＡ）プロトコルにしたがったものである、［１］記載の方法。
［１１］ピアツーピア（Ｐ２Ｐ）ネットワーキングのための装置において、
エアインターフェースチャネルを通して担当ノードを介して、Ｐ２Ｐサービス発見およびグループフォーメーション支援のための要求を発見サーバに送信し、Ｐ２Ｐ通信セッションに参加するために、スコープされている情報を前記発見サーバから受信し、前記受信したスコープされている情報に少なくとも一部基づいて、前記Ｐ２Ｐ通信セッションを少なくとも１つの終端ユーザ機器（ＵＥ）と確立するように構成されている少なくとも１つのプロセッサと、
前記少なくとも１つのプロセッサに結合されており、データを記憶するためのメモリと、
を具備する装置。
［１２］前記少なくとも１つのプロセッサは、前記発信ＵＥに最も近いと決定された複数のＵＥのサブセットを選択することによって発見をスコープする前記発見サーバと通信することによって、前記Ｐ２Ｐサービス発見およびグループフォーメーション支援のための要求を送信する、［１１］記載の装置。
［１３］前記少なくとも１つのプロセッサは、位置と、ネットワークトポロジーと、ユーザの役割と、コンテキスト情報とのうちの選択された少なくとも１つに基づいて、ＵＥのスコープされている選択を対象にする情報を受信することによって、前記スコープされている情報を受信する、［１２］記載の装置。
［１４］前記少なくとも１つのプロセッサは、前記担当ノードからサービスを受信する前記少なくとも１つの終端ＵＥとの通信を確立するように、前記担当ノードと同じ位置に配置されているパケット配信ネットワークゲートウェイを選択するようにさらに構成されている、［１１］記載の装置。
［１５］前記少なくとも１つのプロセッサは、別の担当ノードからサービスを受信する前記少なくとも１つの終端ＵＥとの通信を確立するように、前記担当ノードから離れているパケットコアに位置付けられているパケット配信ネットワークゲートウェイを選択するようにさらに構成されている、［１１］記載の装置。
［１６］前記少なくとも１つのプロセッサは、前記少なくとも１つの終端ＵＥとの通信を確立するように、インターネットと前記パケットコアとを介して通信するホームエージェントを選択するようにさらに構成されている、［１５］記載の装置。
［１７］前記少なくとも１つのプロセッサは、前記発見サーバから、グループフォーメーション命令を受信することによって、前記Ｐ２Ｐ通信セッションを確立する、［１１］記載の装置。
［１８］前記少なくとも１つのプロセッサは、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信することによって、前記グループフォーメーション命令を受信する、［１７］記載の装置。
［１９］前記少なくとも１つのプロセッサは、前記パケットコアを介してベアラシグナリングに戻ることによって、Ｐ２Ｐ通信セッションの継続性を維持するようにさらに構成されている、［１１］記載の装置。
［２０］前記担当ノードに送信すること、および、前記担当ノードから受信することは、進化したユニバーサル移動体電気通信システム地上無線アクセス（Ｅ−ＵＴＲＡ）プロトコルにしたがったものである、［１１］記載の装置。
［２１］前記装置は、発信ＵＥを含む、［１１］記載の装置。
［２２］ピアツーピア（Ｐ２Ｐ）ネットワーキングのための装置において、
エアインターフェースチャネルを通して担当ノードを介して、Ｐ２Ｐサービス発見およびグループフォーメーション支援のための要求を発見サーバに送信する手段と、
Ｐ２Ｐ通信セッションに参加するために、スコープされている情報を前記発見サーバから受信する手段と、
前記受信したスコープされている情報に少なくとも一部基づいて、前記Ｐ２Ｐ通信セッションを少なくとも１つの終端ユーザ機器（ＵＥ）と確立する手段と、
を具備する装置。
［２３］前記発信ＵＥに最も近いと決定された複数のＵＥのサブセットを選択することによって発見をスコープする前記発見サーバと通信する手段をさらに具備する、［２２］記載の装置。
［２４］位置と、ネットワークトポロジーと、ユーザの役割と、コンテキスト情報とのうちの選択された少なくとも１つに基づいて、ＵＥのスコープされた選択を対象にする情報を受信する手段をさらに具備する、［２３］記載の装置。
［２５］前記担当ノードからサービスを受信する前記少なくとも１つの終端ＵＥとの通信を確立するように、前記担当ノードと同じ位置に配置されているパケット配信ネットワークゲートウェイを選択する手段をさらに具備する、［２２］記載の装置。
［２６］別の担当ノードからサービスを受信する前記少なくとも１つの終端ＵＥとの通信を確立するように、前記担当ノードから離れているパケットコアに位置付けられているパケット配信ネットワークゲートウェイを選択する手段をさらに具備する、［２２］記載の装置。
［２７］前記少なくとも１つの終端ＵＥとの通信を確立するように、インターネットと前記パケットコアとを介して通信するホームエージェントを選択する手段をさらに具備する、［２６］記載の装置。
［２８］前記発見サーバから、グループフォーメーション命令を受信する手段をさらに具備する、［２２］記載の装置。
［２９］無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を受信する手段をさらに具備する、［２８］記載の装置。
［３０］前記パケットコアを介してベアラシグナリングに戻ることによって、Ｐ２Ｐ通信セッションの継続性を維持する手段をさらに具備する、［２２］記載の装置。
［３１］前記担当ノードに送信すること、および、前記担当ノードから受信することは、進化したユニバーサル移動体電気通信システム地上無線アクセス（Ｅ−ＵＴＲＡ）プロトコルにしたがったものである、［２２］記載の装置。
［３２］コンピュータプログラムプロダクトにおいて、
エアインターフェースチャネルを通して担当ノードを介して、ピアツーピア（Ｐ２Ｐ）サービス発見およびグループフォーメーション支援のための要求を発見サーバに対してコンピュータに送信させるためのコードと、
Ｐ２Ｐ通信セッションに参加するために、スコープされている情報を前記発見サーバから前記コンピュータに受信させるためのコードと、
前記受信したスコープされている情報に少なくとも一部基づいて、前記Ｐ２Ｐ通信セッションを少なくとも１つの終端ユーザ機器（ＵＥ）と前記コンピュータに確立させるためのコードと、
を含むコンピュータ読み取り可能媒体を具備するコンピュータプログラムプロダクト。
［３３］前記コンピュータ読み取り可能媒体は、前記発信ＵＥに最も近いと決定された複数のＵＥのサブセットを選択することによって発見をスコープする前記発見サーバと前記コンピュータに通信させるためのコードをさらに含む、［３２］記載のコンピュータプログラムプロダクト。
［３４］前記コンピュータ読み取り可能媒体は、位置と、ネットワークトポロジーと、ユーザの役割と、コンテキスト情報とのうちの選択された少なくとも１つに基づいて、ＵＥのスコープされている選択を対象にする情報を前記コンピュータに受信させるためのコードをさらに含む、［３３］記載のコンピュータプログラムプロダクト。
［３５］前記コンピュータ読み取り可能媒体は、前記担当ノードからサービスを受信する前記少なくとも１つの終端ＵＥとの通信を確立するように、前記担当ノードと同じ位置に配置されているパケット配信ネットワークゲートウェイを前記コンピュータに選択させるためのコードをさらに含む、［３２］記載のコンピュータプログラムプロダクト。
［３６］前記コンピュータ読み取り可能媒体は、別の担当ノードからサービスを受信する前記少なくとも１つの終端ＵＥとの通信を確立するように、前記担当ノードから離れているパケットコアに位置付けられているパケット配信ネットワークゲートウェイを前記コンピュータに選択させるためのコードをさらに含む、［３２］記載のコンピュータプログラムプロダクト。
［３７］前記コンピュータ読み取り可能媒体は、前記少なくとも１つの終端ＵＥとの通信を確立するように、インターネットと前記パケットコアとを介して通信するホームエージェントを前記コンピュータに選択させるためのコードをさらに含む、［３６］記載のコンピュータプログラムプロダクト。
［３８］前記コンピュータ読み取り可能媒体は、前記発見サーバから、グループフォーメーション命令を前記コンピュータに受信させるためのコードをさらに含む、［３２］記載のコンピュータプログラムプロダクト。
［３９］前記コンピュータ読み取り可能媒体は、無線周波数の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を前記コンピュータに受信させるためのコードをさらに含む、［３８］記載のコンピュータプログラムプロダクト。
［４０］前記コンピュータ読み取り可能媒体は、前記パケットコアを介してベアラシグナリングに戻ることによって、Ｐ２Ｐ通信セッションの継続性を前記コンピュータに維持させるためのコードをさらに含む、［３２］記載のコンピュータプログラムプロダクト。
［４１］前記担当ノードに送信すること、および、前記担当ノードから受信することは、進化したユニバーサル移動体電気通信システム地上無線アクセス（Ｅ−ＵＴＲＡ）プロトコルにしたがったものである、［３２］記載のコンピュータプログラムプロダクト。
［４２］ワイヤレスワイドエリアネットワークによって促進される、ネットワークエンティティによって動作可能なピアツーピア（Ｐ２Ｐ）ネットワーキングのための方法において、
エアインターフェースチャネルを通して担当ノードを介して、Ｐ２Ｐサービス発見とグループフォーメーション支援のための要求を発信ユーザ機器（ＵＥ）から受信することと、
Ｐ２Ｐサービス発見に適切である複数のユーザ機器のスコープされているサブセットを決定することと、
無線周波数（ＲＦ）の近接さの発見に参加するために、前記複数のＵＥの前記スコープされているサブセットの情報を送信することと、
を含む方法。
［４３］前記スコープされているサービス発見の一部としてそれぞれの情報に応答した前記複数のＵＥの前記スコープされているサブセット内でのＰ２Ｐ通信セッションを確立するために、前記パケットコアを介してベアラシグナリングを促進することをさらに含む、［４２］記載の方法。
［４４］前記スコープされているサブセットを決定することは、位置と、ネットワークトポロジーと、ユーザの役割と、コンテキスト情報とのうちの選択された少なくとも１つに基づいて、Ｐ２Ｐ通信の適切性を決定することをさらに含む、［４２］記載の方法。
［４５］前記発信ＵＥと、前記担当ノードに接続されている少なくとも１つの終端ＵＥとの間のベアラシグナリングを、前記担当ノードと同じ位置に配置されているパケットデータネットワークゲートを介して促進することをさらに含む、［４２］記載の方法。
［４６］前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して促進することをさらに含む、［４２］記載の方法。
［４７］前記少なくとも１つの終端ＵＥとの通信を確立するように、インターネットと前記パケットコアとを介して通信するホームエージェントの選択を促進することをさらに含む、［４６］記載の方法。
［４８］前記Ｐ２Ｐ通信セッションを確立および維持するためのグループフォーメーション命令を送信することをさらに含む、［４２］記載の方法。
［４９］前記グループフォーメーション命令を送信することは、前記ＲＦの近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することをさらに含む、［４８］記載の方法。
［５０］前記担当ノードから送信すること、および、前記担当ノードにおいて受信することは、進化したユニバーサル移動体電気通信システム地上無線アクセス（Ｅ−ＵＴＲＡ）プロトコルにしたがったものである、［４２］記載の方法。
［５１］ピアツーピア（Ｐ２Ｐ）ネットワーキングのための装置において、
エアインターフェースチャネルを通して担当ノードを介して、Ｐ２Ｐサービス発見とグループフォーメーション支援のための要求を発信ユーザ機器（ＵＥ）から受信し、Ｐ２Ｐサービス発見に適切である複数のＵＥのスコープされているサブセットを決定し、前記複数のＵＥの前記スコープされているサブセットの情報を送信するように構成されている少なくとも１つのプロセッサと、
前記少なくとも１つのプロセッサに結合されており、データを記憶するためのメモリと、
を具備する装置。
［５２］前記少なくとも１つのプロセッサは、前記スコープされているサービス発見の一部としてそれぞれの情報に応答した前記複数のＵＥの前記スコープされているサブセット内でのＰ２Ｐ通信セッションを確立するために、前記パケットコアを介してベアラシグナリングを促進するようにさらに構成されている、［５１］記載の装置。
［５３］前記少なくとも１つのプロセッサは、位置と、ネットワークトポロジーと、ユーザの役割と、コンテキスト情報とのうちの選択された少なくとも１つに基づいてＰ２Ｐ通信の適切性を決定することによって、スコープサブセットを決定する、［５１］記載の装置。
［５４］前記少なくとも１つのプロセッサは、前記発信ＵＥと、前記担当ノードに接続されている少なくとも１つの終端ＵＥとの間のベアラシグナリングを、前記担当ノードと同じ位置に配置されているパケットデータネットワークゲートを介して促進するようにさらに構成されている、［５１］記載の装置。
［５５］前記少なくとも１つのプロセッサは、前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して促進するようにさらに構成されている、［５１］記載の装置。
［５６］前記少なくとも１つのプロセッサは、前記少なくとも１つの終端ＵＥとの通信を確立するように、インターネットと前記パケットコアとを介して通信するホームエージェントの選択を促進するようにさらに構成されている、［５５］記載の装置。
［５７］前記少なくとも１つのプロセッサは、前記Ｐ２Ｐ通信セッションを確立および維持するためのグループフォーメーション命令を送信するようにさらに構成されている、［５１］記載の装置。
［５８］前記少なくとも１つのプロセッサは、無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を送信するようにさらに構成されている、［５７］記載の装置。
［５９］前記担当ノードから送信すること、および、前記担当ノードにおいて受信することは、進化したユニバーサル移動体電気通信システム地上無線アクセス（Ｅ−ＵＴＲＡ）プロトコルにしたがったものである、［５１］記載の装置。
［６０］前記装置は、進化したノードＢ（ｅＮＢ）を含む、［５１］記載の装置。
［６１］ピアツーピア（Ｐ２Ｐ）ネットワーキングのための装置において、
エアインターフェースチャネルを通して担当ノードを介して、Ｐ２Ｐサービス発見とグループフォーメーション支援のための要求を発信ユーザ機器（ＵＥ）から受信する手段と、
Ｐ２Ｐサービス発見に適切である複数のＵＥのスコープされているサブセットを決定する手段と、
前記複数のＵＥの前記スコープされているサブセットの情報を送信する手段と、
を具備する装置。
［６２］前記スコープされているサービス発見の一部としてそれぞれの情報に応答した前記複数のＵＥの前記スコープされているサブセット内でのＰ２Ｐ通信セッションを確立するために、前記パケットコアを介してベアラシグナリングを促進する手段をさらに具備する、［６１］記載の装置。
［６３］位置と、ネットワークトポロジーと、ユーザの役割と、コンテキスト情報とのうちの選択された少なくとも１つに基づいて、Ｐ２Ｐ通信の適切性を決定する手段をさらに具備する、［６１］記載の装置。
［６４］前記発信ＵＥと、前記担当ノードに接続されている少なくとも１つの終端ＵＥとの間のベアラシグナリングを、前記担当ノードと同じ位置に配置されているパケットデータネットワークゲートを介して促進する手段をさらに具備する、［６１］記載の装置。
［６５］前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して促進する手段をさらに具備する、［６１］記載の装置。
［６６］前記少なくとも１つの終端ＵＥとの通信を確立するように、インターネットと前記パケットコアとを介して通信するホームエージェントの選択を促進する手段をさらに具備する、［６５］記載の装置。
［６７］前記Ｐ２Ｐ通信セッションを確立および維持するためのグループフォーメーション命令を送信する手段をさらに具備する、［６１］記載の装置。
［６８］無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を送信する手段をさらに具備する、［６７］記載の装置。
［６９］前記担当ノードから送信すること、および、前記担当ノードにおいて受信することは、進化したユニバーサル移動体電気通信システム地上無線アクセス（Ｅ−ＵＴＲＡ）プロトコルにしたがったものである、［６１］記載の装置。
［７０］コンピュータプログラムプロダクトにおいて、
エアインターフェースチャネルを通して担当ノードを介して、ピアツーピア（Ｐ２Ｐ）サービス発見とグループフォーメーション支援のための要求を発信ユーザ機器（ＵＥ）からコンピュータに受信させるためのコードと、
Ｐ２Ｐサービス発見に適切である複数のユーザ機器のスコープされているサブセットを前記コンピュータに決定させるためのコードと、
前記複数のユーザ機器の前記スコープされているサブセットの情報を前記コンピュータに送信させるためのコードと、
を含むコンピュータ読み取り可能媒体を具備するコンピュータプログラムプロダクト。
［７１］前記コンピュータ読み取り可能媒体は、前記スコープされているサービス発見の一部としてそれぞれの情報に応答した前記複数のＵＥの前記スコープされているサブセット内でのＰ２Ｐ通信セッションを確立するために、前記パケットコアを介してベアラシグナリングを前記コンピュータに促進させるためのコードをさらに含む、［７０］記載のコンピュータプログラムプロダクト。
［７２］前記コンピュータ読み取り可能媒体は、位置と、ネットワークトポロジーと、ユーザの役割と、コンテキスト情報とのうちの選択された少なくとも１つに基づいて、Ｐ２Ｐ通信の適切性を前記コンピュータに決定させるためのコードをさらに含む、［７０］記載のコンピュータプログラムプロダクト。
［７３］前記コンピュータ読み取り可能媒体は、前記発信ＵＥと、前記担当ノードに接続されている少なくとも１つの終端ＵＥとの間のベアラシグナリングを、前記担当ノードと同じ位置に配置されているパケットデータネットワークゲートを介して前記コンピュータに促進させるためのコードをさらに含む、［７０］記載のコンピュータプログラムプロダクト。
［７４］前記コンピュータ読み取り可能媒体は、前記発信ＵＥと、別のノードに接続されている少なくとも１つの終端ＵＥとの間でベアラシグナリングを、前記担当ノードから離れているパケットコアに位置付けられているパケットデータネットワークゲートウェイを介して前記コンピュータに促進させるためのコードをさらに含む、［７０］記載のコンピュータプログラムプロダクト。
［７５］前記コンピュータ読み取り可能媒体は、前記少なくとも１つの終端ＵＥとの通信を確立するように、インターネットと前記パケットコアとを介して通信するホームエージェントの選択を前記コンピュータに促進させるためのコードをさらに含む、［７４］記載のコンピュータプログラムプロダクト。
［７６］前記コンピュータ読み取り可能媒体は、前記Ｐ２Ｐ通信セッションを確立および維持するためのグループフォーメーション命令を前記コンピュータに送信させるためのコードをさらに含む、［７０］記載のコンピュータプログラムプロダクト。
［７７］前記コンピュータ読み取り可能媒体は、無線周波数（ＲＦ）の近接さの発見のための自動トリガと、隣接しているＰ２Ｐグループ間でのリソース調整と、Ｐ２Ｐグループ確立基準と、既存のＰ２Ｐグループへのメンバーの追加と、既存のＰ２Ｐグループからのメンバーの削除とのうちの少なくとも１つのための命令を送信することによって、前記グループフォーメーション命令を前記コンピュータに送信させるためのコードをさらに含む、［７６］記載のコンピュータプログラムプロダクト。
［７８］前記担当ノードから送信すること、および、前記担当ノードにおいて受信することは、進化したユニバーサル移動体電気通信システム地上無線アクセス（Ｅ−ＵＴＲＡ）プロトコルにしたがったものである、［７０］記載のコンピュータプログラムプロダクト。
【図１Ａ】
0005623633.tif 000002
【図１Ｂ】
0005623633.tif 000003
【図２Ａ】
0005623633.tif 000004
【図２Ｂ】
0005623633.tif 000005
【図２Ｃ】
0005623633.tif 000006
【図２Ｄ】
0005623633.tif 000007
【図３】
0005623633.tif 000008
【図４】
0005623633.tif 000009
【図５】
0005623633.tif 000010
【図６】
0005623633.tif 000011
【図７】
0005623633.tif 000012
【図８】
0005623633.tif 000013
【図９】
0005623633.tif 000014
【図１０】
0005623633.tif 000015
【図１１】
0005623633.tif 000016
【図１２】
0005623633.tif 000017
【図１３】
0005623633.tif 000018
【図１４】
0005623633.tif 000019
【図１５】
0005623633.tif 000020
【図１６】
0005623633.tif 000021
【図１７】
0005623633.tif 000022
【図１８】
0005623633.tif 000023
【図１９】
0005623633.tif 000024
【図２０】
0005623633.tif 000025
【図２１】
0005623633.tif 000026
【図２２】
0005623633.tif 000027
【図２３】
0005623633.tif 000028
【図２４】
0005623633.tif 000029
【図２５】
0005623633.tif 000030
【図２６】
0005623633.tif 000031
【図２７】
0005623633.tif 000032
【図２８】
0005623633.tif 000033
【図２９】
0005623633.tif 000034